(57)【特許請求の範囲】
【請求項１】
入力画像データから出力デバイスのＣＭＹＫ値に変換するための色変換テーブルを用いて入力画像データから通常ＣＭＹＫ値を取得し、前記入力画像データの前記通常ＣＭＹＫ値よりもＣＭＹＫ値に対するＣＭＹ値の割合が減少した節約ＣＭＹＫ値を取得し、取得した前記通常ＣＭＹＫ値及び前記節約ＣＭＹＫ値に基づいて、前記通常ＣＭＹＫ値に対する前記節約ＣＭＹＫ値の低減量を求め、該低減量を認識可能に報知する制御を行う制御部を備え、
前記制御部は、前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する制御を行うことを特徴とする色調整装置。
【請求項２】
前記制御部は、取得した前記通常ＣＭＹＫ値及び前記節約ＣＭＹＫ値の何れかのＣＭＹＫ値を選択し、該選択したＣＭＹＫ値に基づいて用紙に画像を形成させる制御を行うことを特徴とする請求項１に記載の色調整装置。
【請求項３】
入力画像データから出力デバイスのＣＭＹＫ値に変換するための色変換テーブルを用いて、入力画像データから通常ＣＭＹＫ値を取得し、前記入力画像データの前記通常ＣＭＹＫ値よりもＣＭＹＫ値に対するＣＭＹ値の割合が減少した節約ＣＭＹＫ値を取得し、該取得した節約ＣＭＹＫ値に基づいて用紙に画像を形成させるとともに、前記通常ＣＭＹＫ値に対する前記節約ＣＭＹＫ値の低減量を求め、該低減量を認識可能に報知する制御を行う制御部を備え、
前記制御部は、前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する制御を行うことを特徴とする色調整装置。
【請求項４】
前記制御部は、第１の解像度にて用紙に画像を形成させる制御を行うとともに、第１の解像度よりも低い第２の解像度で前記通常ＣＭＹＫ値に対する前記節約ＣＭＹＫ値の低減量を求めることを特徴とする請求項２又は３に記載の色調整装置。
【請求項５】
前記制御部は、前記通常ＣＭＹＫ値に対する前記節約ＣＭＹＫ値の低減量を、前記通常ＣＭＹＫ値に対するＣＭＹＫ値の低減率によって表すことを特徴とする請求項１〜４の何れか一項に記載の色調整装置。
【請求項６】
前記制御部は、前記節約ＣＭＹＫ値の各値に対してそれぞれ所定の係数を乗じた後に前記通常ＣＭＹＫ値に対する前記節約ＣＭＹＫ値の低減量を求めることを特徴とする請求項１〜５の何れか一項に記載の色調整装置。
【請求項７】
前記制御部は、複数ページからなるジョブデータを入力するとともに、該ジョブデータの複数ページから低減量を求めるページを選択し、該選択されたページについての前記通常ＣＭＹＫ値に対する前記節約ＣＭＹＫ値の低減量を求めることを特徴とする請求項１〜６の何れか一項に記載の色調整装置。
【請求項８】
前記制御部は、前記入力画像データの画素毎に色差を求め、該画素毎の色差の平均を認識可能に報知する制御を行うことを特徴とする請求項１〜７の何れか一項に記載の色調整装置。
【請求項９】
前記制御部は、前記入力画像データの画素毎に色差を求め、該画素毎に求めた色差のうちの最大のものを認識可能に報知する制御を行うことを特徴とする請求項１〜７の何れか一項に記載の色調整装置。
【請求項１０】
入力画像データから出力デバイスのＣＭＹＫ値に変換するための色変換テーブルを用いて入力画像データから通常ＣＭＹＫ値を取得する通常ＣＭＹＫ値取得工程と、
前記入力画像データの前記通常ＣＭＹＫ値よりもＣＭＹＫ値に対するＣＭＹ値の割合が減少した節約ＣＭＹＫ値を取得する節約ＣＭＹＫ値取得工程と、
前記通常ＣＭＹＫ値取得工程及び前記節約ＣＭＹＫ値取得工程において取得した通常ＣＭＹＫ値及び節約ＣＭＹＫ値に基づいて、前記通常ＣＭＹＫ値に対する前記節約ＣＭＹＫ値の低減量を求める低減量取得工程と、
前記低減量取得工程において求められた低減量を認識可能に報知する報知工程と、
前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する色差報知工程と、
を含むことを特徴とする色調整方法。
【請求項１１】
前記通常ＣＭＹＫ値取得工程及び前記節約ＣＭＹＫ値取得工程において取得した通常ＣＭＹＫ値及び節約ＣＭＹＫ値の何れかのＣＭＹＫ値を選択し、該選択したＣＭＹＫ値に基づいて用紙に画像を形成する画像形成工程を含むことを特徴とする請求項１０に記載の色調整方法。
【請求項１２】
入力画像データから出力デバイスのＣＭＹＫ値に変換するための色変換テーブルを用いて、入力画像データから通常ＣＭＹＫ値が取得する通常ＣＭＹＫ値取得工程と、
前記入力画像データの前記通常ＣＭＹＫ値よりもＣＭＹＫ値に対するＣＭＹ値の割合が減少した節約ＣＭＹＫ値を取得する節約ＣＭＹＫ値取得工程と、
前記節約ＣＭＹＫ値取得工程において取得した節約ＣＭＹＫ値に基づいて用紙に画像を形成する画像形成工程と、
前記通常ＣＭＹＫ値取得工程及び前記節約ＣＭＹＫ値取得工程において取得した通常ＣＭＹＫ値及び節約ＣＭＹＫ値に基づいて、前記通常ＣＭＹＫ値に対する前記節約ＣＭＹＫ値の低減量を求める低減量取得工程と、
前記低減量取得工程において求められた低減量を認識可能に報知する報知工程と、
前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する色差報知工程と、
を含むことを特徴とする色調整方法。
【請求項１３】
前記画像形成工程において、第１の解像度にて用紙に画像を形成させる制御を行い、
前記低減量取得工程において、第１の解像度よりも低い第２の解像度で前記通常ＣＭＹＫ値に対する前記節約ＣＭＹＫ値の低減量を求めることを特徴とする請求項１１又は１２に記載の色調整方法。
【請求項１４】
前記報知工程において、前記通常ＣＭＹＫ値に対する前記節約ＣＭＹＫ値の低減量を、前記通常ＣＭＹＫ値に対するＣＭＹＫ値の低減率によって表すことを特徴とする請求項１０〜１３の何れか一項に記載の色調整方法。
【請求項１５】
前記低減量取得工程において、前記節約ＣＭＹＫ値の各値に対してそれぞれ所定の係数を乗じた後に前記通常ＣＭＹＫ値に対する前記節約ＣＭＹＫ値の低減量を求めることを特徴とする請求項１０〜１４の何れか一項に記載の色調整方法。
【請求項１６】
複数ページからなるジョブデータを入力するとともに、該ジョブデータの複数ページから低減量を求めるページを選択するページ選択工程を含み、
前記低減量取得工程において、前記ページ選択工程において選択されたページについての前記通常ＣＭＹＫ値に対する前記節約ＣＭＹＫ値の低減量を求めることを特徴とする請求項１０〜１５の何れか一項に記載の色調整方法。
【請求項１７】
前記色差報知工程において、前記入力画像データの画素毎に色差を求め、該画素毎の色差の平均を認識可能に報知することを特徴とする請求項１０〜１６の何れか一項に記載の色調整方法。
【請求項１８】
前記色差報知工程において、前記入力画像データの画素毎に色差を求め、該画素毎に求めた色差のうちの最大のものを認識可能に報知することを特徴とする請求項１０〜１６の何れか一項に記載の色調整方法。
【請求項１９】
コンピュータを、
入力画像データから出力デバイスのＣＭＹＫ値に変換するための色変換テーブルを用いて入力画像データから通常ＣＭＹＫ値を取得し、前記入力画像データの前記通常ＣＭＹＫ値よりもＣＭＹＫ値に対するＣＭＹ値の割合が減少した節約ＣＭＹＫ値を取得し、取得した前記通常ＣＭＹＫ値及び前記節約ＣＭＹＫ値に基づいて、前記通常ＣＭＹＫ値に対する前記節約ＣＭＹＫ値の低減量を求め、該低減量を認識可能に報知する制御を行い、
さらに、前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する制御を行う制御手段として機能させる色調整プログラム。
【請求項２０】
前記制御手段は、取得した前記通常ＣＭＹＫ値及び前記節約ＣＭＹＫ値の何れかのＣＭＹＫ値を選択し、該選択したＣＭＹＫ値に基づいて用紙に画像を形成させる制御を行う請求項１９に記載の色調整プログラム。
【請求項２１】
コンピュータを、
入力画像データから出力デバイスのＣＭＹＫ値に変換するための色変換テーブルを用いて、入力画像データから通常ＣＭＹＫ値が取得し、前記入力画像データの前記通常ＣＭＹＫ値よりもＣＭＹＫ値に対するＣＭＹ値の割合が減少した節約ＣＭＹＫ値を取得し、該取得した節約ＣＭＹＫ値に基づいて用紙に画像を形成させるとともに、前記通常ＣＭＹＫ値に対する前記節約ＣＭＹＫ値の低減量求め、該低減量を認識可能に報知する制御を行い、
さらに、前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する制御を行う制御手段として機能させる色調整プログラム。
【請求項２２】
前記制御手段は、第１の解像度にて用紙に画像を形成させる制御を行うとともに、第１の解像度よりも低い第２の解像度で前記通常ＣＭＹＫ値に対する前記節約ＣＭＹＫ値の低減量を求める請求項２０又は２１に記載の色調整プログラム。
【請求項２３】
前記制御手段は、前記通常ＣＭＹＫ値に対する前記節約ＣＭＹＫ値の低減量を、前記通常ＣＭＹＫ値に対するＣＭＹＫ値の低減率によって表す請求項１９〜２２の何れか一項に記載の色調整プログラム。
【請求項２４】
前記制御手段は、前記節約ＣＭＹＫ値の各値に対してそれぞれ所定の係数を乗じた後に前記通常ＣＭＹＫ値に対する前記節約ＣＭＹＫ値の低減量を求める請求項１９〜２３の何れか一項に記載の色調整プログラム。
【請求項２５】
前記制御手段は、複数ページからなるジョブデータを入力するとともに、該ジョブデータの複数ページから低減量を求めるページを選択し、該選択されたページについての前記通常ＣＭＹＫ値に対する前記節約ＣＭＹＫ値の低減量を求める請求項１９〜２４の何れか一項に記載の色調整プログラム。
【請求項２６】
前記制御手段は、前記入力画像データの画素毎に色差を求め、該画素毎の色差の平均を認識可能に報知する制御を行う請求項１９〜２５の何れか一項に記載の色調整プログラム。
【請求項２７】
前記制御手段は、前記入力画像データの画素毎に色差を求め、該画素毎に求めた色差のうちの最大のものを認識可能に報知する制御を行う請求項１９〜２５の何れか一項に記載の色調整プログラム。  
【請求項２８】
請求項１９〜２７の何れか一項に記載の色調整プログラムを格納するコンピュータ読み取り可能な媒体。
【発明の詳細な説明】
【技術分野】
【０００１】
本発明は、色調整装置、色調整方法、色調整プログラム及び色調整プログラムを格納した媒体に関する。
【背景技術】
【０００２】
従来、デバイスプロファイルを用いたカラーマネジメントシステムにより、カラープリンターの出力色を所望の色に調整することが行われている。
【０００３】
そして、このようなカラーマネジメントシステムでは、ＲＧＢ表色系やＣＭＹＫ表色系等のデバイス依存の色空間におけるＲＧＢ値／ＣＭＹＫ値からＬ＊ａ＊ｂ＊表色系やＸＹＺ表色系等のデバイス非依存の色空間における表色系の値に変換するためのソースプロファイルと、色空間データから出力を行うカラープリンターについてのＣＭＹＫの値に変換するためのデスティネーションプロファイルとを用いた色変換が行われている。
【０００４】
また、このような色変換を行った後に、ＣＭＹの色材をＫ版に置き換えるＵＣＲ（Under Color Removal）あるいはＧＣＲ（Gray Component Replacement）の各処理や、ＣＭＹＫの合計値を制限する処理等を行い、色再現性を維持しつつ色材を節約する色調整が行われている。
【０００５】
また、色材のコスト管理等のために、印刷ジョブの印刷内容に応じて色材（トナー）の消費量を算出して色材の消費量を事前に予測するようにしたものがある（例えば、特許文献１）
【先行技術文献】
【特許文献】
【０００６】
【特許文献１】特開２００８−１２３１６６号公報
【発明の概要】
【発明が解決しようとする課題】
【０００７】
しかしながら、上述したような色材の節約を行う場合には、その節約量は、色再現性を考慮して行われることから、印刷を実施する画像毎に異なるため、上記特許文献１に記載の技術では、色材の節約量を正確に見積もることができない。
【０００８】
本発明の課題は、色再現性を維持して色材の節約を行う場合に、色材の節約量を正確に見積もることができる色調整装置、色調整方法、色調整プログラム及び色調整プログラムを格納した媒体を提供することである。
【課題を解決するための手段】
【０００９】
以上の課題を解決するため、請求項１に記載の発明は、色調整装置において、
入力画像データから出力デバイスのＣＭＹＫ値に変換するための色変換テーブルを用いて入力画像データから通常ＣＭＹＫ値を取得し、前記入力画像データの前記通常ＣＭＹＫ値よりもＣＭＹＫ値に対するＣＭＹ値の割合が減少した節約ＣＭＹＫ値を取得し、取得した前記通常ＣＭＹＫ値及び前記節約ＣＭＹＫ値に基づいて、前記通常ＣＭＹＫ値に対する前記節約ＣＭＹＫ値の低減量を求め、該低減量を認識可能に報知する制御を行う制御部を備え、
前記制御部は、前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する制御を行うことを特徴とする。
【００１０】
請求項２に記載の発明は、請求項１に記載の色調整装置において、
前記制御部は、取得した前記通常ＣＭＹＫ値及び前記節約ＣＭＹＫ値の何れかのＣＭＹＫ値を選択し、該選択したＣＭＹＫ値に基づいて用紙に画像を形成させる制御を行うことを特徴とする。
【００１１】
請求項３に記載の発明は、色調整装置において、
入力画像データから出力デバイスのＣＭＹＫ値に変換するための色変換テーブルを用いて、入力画像データから通常ＣＭＹＫ値を取得し、前記入力画像データの前記通常ＣＭＹＫ値よりもＣＭＹＫ値に対するＣＭＹ値の割合が減少した節約ＣＭＹＫ値を取得し、該取得した節約ＣＭＹＫ値に基づいて用紙に画像を形成させるとともに、前記通常ＣＭＹＫ値に対する前記節約ＣＭＹＫ値の低減量を求め、該低減量を認識可能に報知する制御を行う制御部を備え、
前記制御部は、前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する制御を行うことを特徴とする。
【００１２】
請求項４に記載の発明は、請求項２又は３に記載の色調整装置において、
前記制御部は、第１の解像度にて用紙に画像を形成させる制御を行うとともに、第１の解像度よりも低い第２の解像度で前記通常ＣＭＹＫ値に対する前記節約ＣＭＹＫ値の低減量を求めることを特徴とする。
【００１３】
請求項５に記載の発明は、請求項１〜４の何れか一項に記載の色調整装置において、
前記制御部は、前記通常ＣＭＹＫ値に対する前記節約ＣＭＹＫ値の低減量を、前記通常ＣＭＹＫ値に対するＣＭＹＫ値の低減率によって表すことを特徴とする。
【００１４】
請求項６に記載の発明は、請求項１〜５の何れか一項に記載の色調整装置において、
前記制御部は、前記節約ＣＭＹＫ値の各値に対してそれぞれ所定の係数を乗じた後に前記通常ＣＭＹＫ値に対する前記節約ＣＭＹＫ値の低減量を求めることを特徴とする。
【００１５】
請求項７に記載の発明は、請求項１〜６の何れか一項に記載の色調整装置において、
前記制御部は、複数ページからなるジョブデータを入力するとともに、該ジョブデータの複数ページから低減量を求めるページを選択し、該選択されたページについての前記通常ＣＭＹＫ値に対する前記節約ＣＭＹＫ値の低減量を求めることを特徴とする。
【００１７】
請求項８に記載の発明は、請求項１〜７の何れか一項に記載の色調整装置において、
前記制御部は、前記入力画像データの画素毎に色差を求め、該画素毎の色差の平均を認識可能に報知する制御を行うことを特徴とする。
【００１８】
請求項９に記載の発明は、請求項１〜７の何れか一項に記載の色調整装置において、
前記制御部は、前記入力画像データの画素毎に色差を求め、該画素毎に求めた色差のうちの最大のものを認識可能に報知する制御を行うことを特徴とする。
【００１９】
請求項１０に記載の発明は、色調整方法であって、
入力画像データから出力デバイスのＣＭＹＫ値に変換するための色変換テーブルを用いて入力画像データから通常ＣＭＹＫ値を取得する通常ＣＭＹＫ値取得工程と、
前記入力画像データの前記通常ＣＭＹＫ値よりもＣＭＹＫ値に対するＣＭＹ値の割合が減少した節約ＣＭＹＫ値を取得する節約ＣＭＹＫ値取得工程と、
前記通常ＣＭＹＫ値取得工程及び前記節約ＣＭＹＫ値取得工程において取得した通常ＣＭＹＫ値及び節約ＣＭＹＫ値に基づいて、前記通常ＣＭＹＫ値に対する前記節約ＣＭＹＫ値の低減量を求める低減量取得工程と、
前記低減量取得工程において求められた低減量を認識可能に報知する報知工程と、
前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する色差報知工程と、
を含むことを特徴とする。
【００２０】
請求項１１に記載の発明は、請求項１０に記載の色調整方法において、
前記通常ＣＭＹＫ値取得工程及び前記節約ＣＭＹＫ値取得工程において取得した通常ＣＭＹＫ値及び節約ＣＭＹＫ値の何れかのＣＭＹＫ値を選択し、該選択したＣＭＹＫ値に基づいて用紙に画像を形成する画像形成工程を含むことを特徴とする。
【００２１】
請求項１２に記載の発明は、色調整方法であって、
入力画像データから出力デバイスのＣＭＹＫ値に変換するための色変換テーブルを用いて、入力画像データから通常ＣＭＹＫ値が取得する通常ＣＭＹＫ値取得工程と、
前記入力画像データの前記通常ＣＭＹＫ値よりもＣＭＹＫ値に対するＣＭＹ値の割合が減少した節約ＣＭＹＫ値を取得する節約ＣＭＹＫ値取得工程と、
前記節約ＣＭＹＫ値取得工程において取得した節約ＣＭＹＫ値に基づいて用紙に画像を形成する画像形成工程と、
前記通常ＣＭＹＫ値取得工程及び前記節約ＣＭＹＫ値取得工程において取得した通常ＣＭＹＫ値及び節約ＣＭＹＫ値に基づいて、前記通常ＣＭＹＫ値に対する前記節約ＣＭＹＫ値の低減量を求める低減量取得工程と、
前記低減量取得工程において求められた低減量を認識可能に報知する報知工程と、
前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する色差報知工程と、
を含むことを特徴とする色調整方法。
【００２２】
請求項１３に記載の発明は、請求項１１又は１２に記載の色調整方法において、
前記画像形成工程において、第１の解像度にて用紙に画像を形成させる制御を行い、
前記低減量取得工程において、第１の解像度よりも低い第２の解像度で前記通常ＣＭＹＫ値に対する前記節約ＣＭＹＫ値の低減量を求めることを特徴とする。
【００２３】
請求項１４に記載の発明は、請求項１０〜１３の何れか一項に記載の色調整方法において、
前記報知工程において、前記通常ＣＭＹＫ値に対する前記節約ＣＭＹＫ値の低減量を、前記通常ＣＭＹＫ値に対するＣＭＹＫ値の低減率によって表すことを特徴とする。
【００２４】
請求項１５に記載の発明は、請求項１０〜１４の何れか一項に記載の色調整方法において、
前記低減量取得工程において、前記節約ＣＭＹＫ値の各値に対してそれぞれ所定の係数を乗じた後に前記通常ＣＭＹＫ値に対する前記節約ＣＭＹＫ値の低減量を求めることを特徴とする。
【００２５】
請求項１６に記載の発明は、請求項１０〜１５の何れか一項に記載の色調整方法において、
複数ページからなるジョブデータを入力するとともに、該ジョブデータの複数ページから低減量を求めるページを選択するページ選択工程を含み、
前記低減量取得工程において、前記ページ選択工程において選択されたページについての前記通常ＣＭＹＫ値に対する前記節約ＣＭＹＫ値の低減量を求めることを特徴とする。
【００２７】
請求項１７に記載の発明は、請求項１０〜１６の何れか一項に記載の色調整方法において、
前記色差報知工程において、前記入力画像データの画素毎に色差を求め、該画素毎の色差の平均を認識可能に報知することを特徴とする。
【００２８】
請求項１８に記載の発明は、請求項１０〜１６の何れか一項に記載の色調整方法において、
前記色差報知工程において、前記入力画像データの画素毎に色差を求め、該画素毎に求めた色差のうちの最大のものを認識可能に報知することを特徴とする。
【００２９】
請求項１９に記載の発明は、色調整プログラムであって、
コンピュータを、
入力画像データから出力デバイスのＣＭＹＫ値に変換するための色変換テーブルを用いて入力画像データから通常ＣＭＹＫ値を取得し、前記入力画像データの前記通常ＣＭＹＫ値よりもＣＭＹＫ値に対するＣＭＹ値の割合が減少した節約ＣＭＹＫ値を取得し、取得した前記通常ＣＭＹＫ値及び前記節約ＣＭＹＫ値に基づいて、前記通常ＣＭＹＫ値に対する前記節約ＣＭＹＫ値の低減量を求め、該低減量を認識可能に報知する制御を行い、
さらに、前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する制御を行う制御手段として機能させる。
【００３０】
請求項２０に記載の発明は、請求項１９に記載の色調整プログラムにおいて、
前記制御手段は、取得した前記通常ＣＭＹＫ値及び前記節約ＣＭＹＫ値の何れかのＣＭＹＫ値を選択し、該選択したＣＭＹＫ値に基づいて用紙に画像を形成させる制御を行う。
【００３１】
請求項２１に記載の発明は、色調整プログラムであって、
コンピュータを、
入力画像データから出力デバイスのＣＭＹＫ値に変換するための色変換テーブルを用いて、入力画像データから通常ＣＭＹＫ値が取得し、前記入力画像データの前記通常ＣＭＹＫ値よりもＣＭＹＫ値に対するＣＭＹ値の割合が減少した節約ＣＭＹＫ値を取得し、該取得した節約ＣＭＹＫ値に基づいて用紙に画像を形成させるとともに、前記通常ＣＭＹＫ値に対する前記節約ＣＭＹＫ値の低減量求め、該低減量を認識可能に報知する制御を行い、
さらに、前記出力デバイスにおける入力ＣＭＹＫ値からデバイス非依存の色空間上の座標を示す出力色値に変換するための色空間変換テーブルを用いて前記通常ＣＭＹＫ値及び前記節約ＣＭＹＫ値から出力色値をそれぞれ求め、前記通常ＣＭＹＫ値から求められた出力色値と前記節約ＣＭＹＫ値から求められた出力色値の差分である色差を求め、該色差を認識可能に報知する制御を行う制御手段として機能させる。
【００３２】
請求項２２に記載の発明は、請求項２０又は２１に記載の色調整プログラムにおいて、
前記制御手段は、第１の解像度にて用紙に画像を形成させる制御を行うとともに、第１の解像度よりも低い第２の解像度で前記通常ＣＭＹＫ値に対する前記節約ＣＭＹＫ値の低減量を求める。
【００３３】
請求項２３に記載の発明は、請求項１９〜２２の何れか一項に記載の色調整プログラムにおいて、
前記制御手段は、前記通常ＣＭＹＫ値に対する前記節約ＣＭＹＫ値の低減量を、前記通常ＣＭＹＫ値に対するＣＭＹＫ値の低減率によって表す。
【００３４】
請求項２４に記載の発明は、請求項１９〜２３の何れか一項に記載の色調整プログラムにおいて、
前記制御手段は、前記節約ＣＭＹＫ値の各値に対してそれぞれ所定の係数を乗じた後に前記通常ＣＭＹＫ値に対する前記節約ＣＭＹＫ値の低減量を求める。
【００３５】
請求項２５に記載の発明は、請求項１９〜２４の何れか一項に記載の色調整プログラムにおいて、
前記制御手段は、複数ページからなるジョブデータを入力するとともに、該ジョブデータの複数ページから低減量を求めるページを選択し、該選択されたページについての前記通常ＣＭＹＫ値に対する前記節約ＣＭＹＫ値の低減量を求める。
【００３７】
請求項２６に記載の発明は、請求項１９〜２５の何れか一項に記載の色調整プログラムにおいて、
前記制御手段は、前記入力画像データの画素毎に色差を求め、該画素毎の色差の平均を認識可能に報知する制御を行う。
【００３８】
請求項２７に記載の発明は、請求項１９〜２５の何れか一項に記載の色調整プログラムにおいて、
前記制御手段は、前記入力画像データの画素毎に色差を求め、該画素毎に求めた色差のうちの最大のものを認識可能に報知する制御を行う。  
【００３９】
請求項２８に記載の発明は、コンピュータ読み取り可能な媒体であって、
請求項１９〜２７の何れか一項に記載の色調整プログラムを格納する。
【発明の効果】
【００４０】
本発明によれば、色再現性を維持して色材の節約を行う場合に、色材の節約量を正確に見積もることができる。
【図面の簡単な説明】
【００４１】
【図１】本実施の形態に係る色調整システムのシステム構成図である。
【図２】クライアントＰＣの機能的構成を示すブロック図である。
【図３】第１のＬＵＴの説明図である。
【図４】カラーチャートを表す模式図である。
【図５】図４のカラーチャートにおいて、Ｋ：０％のカラーパッチが配置された状態を表す模式図である。
【図６】ＣＭＹの値と表色系の値による軌跡上のサンプル点と補間処理を行う点の分布を示す図である。
【図７】ＣＭＹの値の組み合わせについての補間処理の順序を示した図である。
【図８】ＣＭＹＫの各値を変換する１次元ＬＵＴを表す図である。
【図９】第２のＬＵＴの説明図である。
【図１０】ａ＊Ｌ＊座標系における目標値Ｔ’を示す図である。
【図１１】ＣＭ座標系における目標値Ｔを示す図である。
【図１２】図１１に示す領域Ｖ０を拡大した図である。
【図１３】ａ＊Ｌ＊座標系において、図１２に示す領域Ｖ０に対応する領域Ｖ０’を示す図である。
【図１４】カラーガマットマッピングについて説明する図である。
【図１５】デバイスリンクプロファイルの生成手順について説明するフローチャートである。
【図１６】色調整テーブル作成処理について説明するフローチャートである。
【図１７】Ｋ版生成カーブについて説明する図である。
【図１８】第３のＬＵＴの説明図である。
【図１９】総量制限設定処理について説明するフローチャートである。
【図２０】色域の変化について説明する図である。
【図２１】色変換処理について説明するフローチャートである。
【図２２】節約モード選択処理について説明するフローチャートである。
【図２３】節約モード用デバイスリンクプロファイル生成処理について説明するフローチャートである。
【図２４】色材節約量見積処理について説明するフローチャートである。
【図２５】節約量を見積もるための設定画面について説明する図である。
【図２６】色材節約量通知処理について説明するフローチャートである。
【図２７】節約結果の通知を行うための設定画面について説明する図である。
【発明を実施するための形態】
【００４２】
以下、本発明の実施の形態に係る色調整システムについて、図面を参照して説明する。ただし、発明の範囲は図示例に限定されない。なお、以下の説明において、同一の機能及び構成を有するものについては、同一の符号を付し、その説明を省略する。
【００４３】
また、本発明の実施の形態では、構成する全ての装置全体として色調整システムと称しているが、色調整システムを構成している一部または全ての装置を色調整装置と称することももちろん可能である。
【００４４】
図１は、本発明に係る色調整システム１０００の構成の一実施例である。色調整システム１０００は、例えば、カラープリンター１と、コントローラー２と、測定器３と、クライアントＰＣ（Personal Computer）１０と、を含む。色調整システム１０００は、色調整の目標となるデバイス（ターゲットデバイス）より出力される画像データの色を調整し、カラープリンター１（デスティネーションデバイス）で当該画像データの色を再現する。以下の説明において、ターゲットデバイスは、ＲＧＢ色の画像データを出力するカラーモニタ装置とする。
【００４５】
カラープリンター１は、互いに色相の異なるＣＭＹ（シアン、マゼンタ、イエロー）の３つの基本色及びＫ（ブラック）の色からなるＣＭＹＫ色の画像を出力する。カラープリンター１は、通信用のインターフェースを介してコントローラー２と接続される。
【００４６】
コントローラー２は、ＰＣ等である。コントローラー２は、ネットワークを介して接続された他のコンピュータより印刷ジョブを取得する。そして、コントローラー２は、取得した印刷ジョブに対してＲＩＰ（Raster Image Processer）展開処理によりラスター・イメージの画像データを生成する。
また、コントローラー２は、クライアントＰＣ１０より送信されるデバイスリンクプロファイルを、ＨＤＤ等の記憶装置に記憶する。コントローラー２は、生成した画像データについてデバイスリンクプロファイルを用いて色変換処理を行うことができる。コントローラー２は、上記色変換処理を行った画像データをカラープリンター１に送信して出力させる。
ここで、デバイスリンクプロファイルは、カラーモニタ装置のデバイスプロファイルとカラープリンター１のデバイスプロファイルとを統合したプロファイルである。具体的には、デバイスリンクプロファイルは、カラーモニタ装置のＲＧＢの値とカラープリンター１のＣＭＹＫの値とを、デバイスに依存しない色空間を介さずに対応付ける。そのため、コントローラー２は、デバイスリンクプロファイルを用いて、カラーモニタ装置にて出力されるＲＧＢ色の画像データを直接ＣＭＹＫ色に変換することができる。
また、本実施の形態では、カラープリンター１の色材（トナー材）の使用量を削減するために、後述するように、コントローラー２は、クライアントＰＣ１０より送信される色調整テーブルをＨＤＤ等の記憶装置に記憶する。そして、コントローラー２は、これらに基づき、デバイスリンクプロファイルによって変換されたＣＭＹＫの画像データに対して色調整を行うことができる。
【００４７】
測定器３は、カラープリンター１より出力されるカラーチャートやスポットカラーの色票を測定する。具体的には、測定器３は、カラーチャートに含まれる各カラーパッチの色やスポットカラーの色票をそれぞれ分光的に測定する。そして、測定器３は、当該測定した色の測定値をクライアントＰＣ１０に送信する。ここで、測定器３による測定値は、分光反射率の値や、国際照明委員会（ＣＩＥ）で定めるＸＹＺやＬ＊ａ＊ｂ＊等のデバイスに依存しない表色系の値等によって表わされる。ここで、スポットカラーとは、ＣＭＹＫの各色材の組み合わせによって構成される色ではなく、ＣＭＹＫでは表すことのできない他の色や、これにＣＭＹＫの各色材を混合して作成される、オフセット印刷で用いられる特別な色のインキであり、オフセット印刷用の画像データに含まれる場合がある。カラープリンター１では、このようなスポットカラーをそのままの色にて出力することができないので、測定器３による測定を行い、後述するようにしてＣＭＹＫ値に変換する必要がある。
測定器３は、通信用のインターフェースを介してクライアントＰＣ１０と接続される。
なお、測定器３による測定値が分光反射率の値やＸＹＺの値で表わされる場合、クライアントＰＣ１０が、当該測定値をＬ＊ａ＊ｂ＊の値やＣＩＥＣＡＭ０２の値に変換する構成であってもよい。
本実施の形態では、測定器３による測定値として、Ｌ＊ａ＊ｂ＊の値を用いる場合を説明する。
【００４８】
クライアントＰＣ１０は、例えば、図２に示すように、ＣＰＵ（Central Processing Unit）１１と、ＲＡＭ（Random Access Memory）１２と、ＲＯＭ（Read Only Memory）１３と、操作部１４と、表示部１５と、記憶部１６と、通信部１７と、を含んで構成される。
【００４９】
ＣＰＵ１１は、クライアントＰＣ１０の各部から入力される入力信号に応じて、ＲＯＭ１３に記憶された各種プログラム（プログラムコード）を実行する。さらに、ＣＰＵ１１は、当該実行にかかるプログラムに基づいて各部に出力信号を出力し、クライアントＰＣ１０の動作全般を統括制御する。すなわち、ＣＰＵ１１は制御部を構成する。
ＣＰＵ１１は、例えば、カラープリンター１のデバイスプロファイルを作成する。また、ＣＰＵ１１は、カラープリンター１のデバイスプロファイルとカラーモニタ装置のデバイスプロファイルとを用いてデバイスリンクプロファイルを作成する。つまり、ＣＰＵ１１は、カラーモニタ装置にて出力される画像データの色を調整し、カラープリンター１で当該画像データの色を再現するための色変換テーブルを作成する。また、ＣＰＵ１１は、測定器３にて測定されたスポットカラーの測定値に基づいて、スポットカラーの示す色をカラープリンター１にて再現するためのスポットカラーテーブルを作成する。また、ＣＰＵ１１は、後述するように、カラープリンター１の色材（トナー材）の使用量を削減するための節約モードにおいて使用する色調整テーブルを作成する。
【００５０】
ＲＡＭ１２は、ＣＰＵ１１により実行される各種プログラム及び当該プログラムに係るデータを一時的に記憶するためのワークエリアを形成する。
【００５１】
ＲＯＭ１３は、不揮発性の半導体メモリ等で構成される。ＲＯＭ１３は、ＣＰＵ１１が実行する各種プログラムを、当該ＣＰＵ１１が読み取り可能なプログラムコードの形態で格納する媒体である。また、ＲＯＭ１３は、ＣＰＵ１１が当該プログラムの実行に必要とするパラメータやファイル等を記憶する。
【００５２】
操作部１４は、カーソルキー、文字入力キー及び各種機能キーを備えたキーボードと、マウス等のポインティングデバイスと、を備える。操作部１４は、ユーザによる操作入力を受け付けると、操作内容に応じた操作信号をＣＰＵ１１に出力する。
【００５３】
表示部１５は、ＬＣＤ（Liquid Crystal Display）等で構成される。表示部１５は、ＣＰＵ１１からの指示に従って、各種操作画面や各種処理結果を表示する。
【００５４】
記憶部１６は、ＨＤＤ（Hard Disk Drive）等の記憶装置である。記憶部１６は、ＣＰＵ１１が作成するカラープリンター１のデバイスプロファイル、デバイスリンクプロファイル及びスポットカラーテーブルを記憶する。
また、記憶部１６は、ＣＰＵ１１が作成する色調整テーブルを記憶する。
また、記憶部１６は、カラーモニタ装置のデバイスプロファイルとして、ｓＲＧＢ形式のデバイスプロファイルを予め記憶する。ｓＲＧＢ形式のデバイスプロファイルは、国際電気標準会議（ＩＥＣ；International Electrotechnical Commission）が定めた国際標準規格に準拠するデバイスプロファイルである。
【００５５】
通信部１７は、クライアントＰＣ１０をコントローラー２及び測定器３と接続する通信用のインターフェースである。そして、通信部１７は、コントローラー２及び測定器３との間でデータの送受信を行う。
例えば、通信部１７は、測定器３より送信されるカラーチャートの測定値を受信する。また、通信部１７は、記憶部１６に記憶されたデバイスプロファイル、デバイスリンクプロファイル、色調整テーブル等をコントローラー２に送信する。
【００５６】
次に、クライアントＰＣ１０によるカラープリンター１のデバイスプロファイルの作成手順について説明する。ここで、カラープリンター１のデバイスプロファイルは、第１のＬＵＴ（Look Up Table）１００と、第２のＬＵＴ２００との２つの変換テーブルで構成されている。第１のＬＵＴ１００は、色調整を行うときにおいて、そのデバイスプロファイルが入力側に選ばれた場合に使用される変換テーブルであり、第２のＬＵＴ２００は、そのデバイスプロファイルが出力側に選ばれた場合に使用される変換テーブルである。
【００５７】
第１のＬＵＴ１００は、ＣＭＹＫの値の組み合わせを表色系のＬ＊ａ＊ｂ＊の値に変換するための変換テーブルである。第１のＬＵＴ１００は、例えば、図３に示すように、Ｃ×Ｍ×Ｙ×Ｋ：９×９×９×９＝６５６１点のＣＭＹＫの値の組み合わせであるＬＵＴ入力点（格子点）に対して、Ｌ＊ａ＊ｂ＊の値が入る４次元入力／３次元出力ＬＵＴである。ここで、９通りのＣＭＹそれぞれの値は、Ｃ、Ｍ、Ｙ：０％、１０％、２０％、３０％、４０％、５５％、７０％、８５％、１００％である。また、９通りのＫの値は、Ｋ：０％、１０％、２０％、３０％、４０％、５０％、６０％、８０％、１００％である。
以下に、当該第１のＬＵＴ１００の作成手順を述べる。
【００５８】
まず、クライアントＰＣ１０のＣＰＵ１１が、コントローラー２を介して、図４に示すカラーチャート１１０を、色調整を行わないでカラープリンター１に出力させる。ここで、カラーチャート１１０を出力するための画像データは、記憶部１６等に予め記憶されている。カラーチャート１１０は、例えば、ＩＳＯ１２６４２規格に準拠した一般的なカラーチャートを使用する。なお、カラーチャートの形態については任意のものが採用できる。カラーチャート１１０は、ＣＭＹＫそれぞれの値の最大値１００％を複数に分割し、分割したＣＭＹＫの値の組み合わせに応じた色のカラーパッチをそれぞれ備える。なお、ここで、色調整を行わないでカラーチャート１１０を出力する場合でも、カラープリンター１の内部等において、カラープリンター１の出力変動を補正するキャリブレーション補正の処理や、定着性の向上あるいは高濃度部の出力安定性の向上のために、ＣＭＹＫの合計値（最大４００％）を、例えば、最大３００％等に制限する処理が行われるようにしてもよい。また、カラープリンター１の内部ではなく、コントローラー２による処理において、色調整の後でカラープリンター１に転送する前にＣＭＹＫの合計値を制限する処理が行われるようにしてもよい。このような処理は、カラーチャート１１０の出力以外にも、通常の出力処理において実施されるようにしてもよい。
【００５９】
具体的には、カラーチャート１１０は、図４に示すように、（１）Ｋ：０％、（２）Ｋ：２０％、（３）Ｋ：４０％、（４）Ｋ：６０％、（５）Ｋ：８０％、（６）Ｋ：１００％の６通りを備える。そして、カラーチャート１１０は、（１）〜（６）それぞれについて、ＣＭＹの値を組み合わせた複数点のカラーパッチを配置する。例えば、（１）のＫ：０％では、図５に示すように、Ｃ×Ｍ×Ｙ：６×６×６点のカラーパッチが配置される。ここで、６通りのＣＭＹそれぞれの値は、Ｃ、Ｍ、Ｙ：０％、１０％、２０％、４０％、７０％、１００％である。同様に、カラーチャート１１０は、（２）のＫ：２０％に、Ｃ×Ｍ×Ｙ：６×６×６点のカラーパッチ（Ｃ、Ｍ、Ｙ：０％、１０％、２０％、４０％、７０％、１００％）を、（３）のＫ：４０％に、Ｃ×Ｍ×Ｙ：５×５×５点のカラーパッチ（Ｃ、Ｍ、Ｙ：０％、２０％、４０％、７０％、１００％）を、（４）のＫ：６０％に、Ｃ×Ｍ×Ｙ：５×５×５点のカラーパッチ（Ｃ、Ｍ、Ｙ：０％、２０％、４０％、７０％、１００％）を、（５）のＫ：８０％に、Ｃ×Ｍ×Ｙ：４×４×４点のカラーパッチ（Ｃ、Ｍ、Ｙ：０％、４０％、７０％、１００％）を、（６）のＫ：１００％に、Ｃ×Ｍ×Ｙ：２×２×２点のカラーパッチ（Ｃ、Ｍ、Ｙ：０％、１００％）を、それぞれ備える。また、カラーチャート１１０は、（７）ＣＭＹＫ各単色の１３段の階調ステップ（３％、７％、１０％、１５％、２０％、２５％、３０％、４０％、５０％、６０％、７０％、８０％、９０％）を備えている。
つまり、カラーチャート１１０は、（１）〜（７）の合計で、Ｃ×Ｍ×Ｙ×Ｋ：７５４点＋単色５２点の８０６点のカラーパッチを備える。
【００６０】
次に、ユーザは、出力されたカラーチャート１１０の各カラーパッチを測定器３で順番に測定する。すると、ＣＰＵ１１は、Ｃ×Ｍ×Ｙ×Ｋ：７５４点のＣＭＹＫの値の組み合わせ及びＣＭＹＫ単色５２点の値のそれぞれに対応したＬ＊ａ＊ｂ＊の値（測定値）を測定器３より取得できる。
【００６１】
次に、ＣＰＵ１１は、上記８０６点以外について、Ｃ×Ｍ×Ｙ×Ｋ：９×９×９×９＝６５３１点のＣＭＹＫの値の組み合わせそれぞれに対応したＬ＊ａ＊ｂ＊の値を算出する。
具体的には、ＣＰＵ１１は、（１）のＣ×Ｍ×Ｙ：６×６×６点をサンプル点とし、（７）のＣＭＹの単色階調ステップの各値を用いて、Ｃ×Ｍ×Ｙ：９×９×９点の中で測定値の無い点（Ｃ、Ｍ、Ｙ：３０％、５５％、８５％）について補間処理を行い、測定値の無い点のＬ＊ａ＊ｂ＊の値を算出する。次に、ＣＰＵ１１は、（２）のＣ×Ｍ×Ｙ：６×６×６点、（３）のＣ×Ｍ×Ｙ：５×５×５点、（４）のＣ×Ｍ×Ｙ：５×５×５点、（５）のＣ×Ｍ×Ｙ：４×４×４点、（６）のＣ×Ｍ×Ｙ：２×２×２点、のそれぞれについても同様の補間処理を行い、測定値の無い点のＬ＊ａ＊ｂ＊の値を算出する。つまり、ＣＰＵ１１は、Ｃ×Ｍ×Ｙ×Ｋ：７５４点をサンプル点として補間処理を行うことで、Ｃ×Ｍ×Ｙ×Ｋ：９×９×９×６点に補間できる。
さらに、ＣＰＵ１１は、Ｋ：９点の中で測定値の無い３点（Ｋ：１０％，３０％，５０％）について、以下のような補間処理を行う。すなわち、Ｋ：１０％のＣ×Ｍ×Ｙ：９×９×９点については、既に求められているＫ：０％のＣ×Ｍ×Ｙ：９×９×９点の各Ｌ＊ａ＊ｂ＊の値と、Ｋ：２０％のＣ×Ｍ×Ｙ：９×９×９点の各Ｌ＊ａ＊ｂ＊の値と、Ｋの単色階調ステップの各値を用いて補間処理を行って、各点のＬ＊ａ＊ｂ＊の値を算出する。また、Ｋ：３０％のＣ×Ｍ×Ｙ：９×９×９点については、既に求められているＫ：２０％のＣ×Ｍ×Ｙ：９×９×９点の各Ｌ＊ａ＊ｂ＊の値と、Ｋ：４０％のＣ×Ｍ×Ｙ：９×９×９点の各Ｌ＊ａ＊ｂ＊の値と、Ｋの単色階調ステップの各値を用いて補間処理を行って、各点のＬ＊ａ＊ｂ＊の値を算出する。また、Ｋ：５０％のＣ×Ｍ×Ｙ：９×９×９点については、既に求められているＫ：４０％のＣ×Ｍ×Ｙ：９×９×９点の各Ｌ＊ａ＊ｂ＊の値と、Ｋ：６０％のＣ×Ｍ×Ｙ：９×９×９点の各Ｌ＊ａ＊ｂ＊の値と、Ｋの単色階調ステップの各値を用いて補間処理を行って、各点のＬ＊ａ＊ｂ＊の値を算出する。
以上により、ＣＰＵ１１は、第１のＬＵＴ１００の、Ｃ×Ｍ×Ｙ×Ｋ：９×９×９×９＝６５６１点のＬＵＴ入力点に対するＬ＊ａ＊ｂ＊の値を取得できる。
【００６２】
ところで、上記補間処理は、例えば、特開２００３−７８７７３号公報等に詳述されている。一例として、（４）のＣ×Ｍ×Ｙ：５×５×５点をサンプル点とする補間処理について簡単に説明する。
ＣＰＵ１１は、補間処理を行う点（測定値の無い点）のＬ＊ａ＊ｂ＊の値を、サンプル点のＬ＊ａ＊ｂ＊の値と、ＣＭＹの単色における階調ステップの値と、で算出する。ここで、補間処理を行う点のＬ＊ａ＊ｂ＊はＬｍ＊ａｍ＊ｂｍ＊、各サンプル点のＬ＊ａ＊ｂ＊はＬｉ＊ａｉ＊ｂｉ＊（ｉ＝１〜４）とする。
図６は、●印がサンプル点、△印と×印がそれぞれ補間処理を行う点を表す。ＣＰＵ１１は、△印のように前後２点ずつサンプル点が存在する場合と、×印のように前後に１点及び３点のサンプル点が存在する場合とで異なる補間式を用いてＬｍ＊ａｍ＊ｂｍ＊の値を算出する。
具体的には、前者（△印）に対する補間式は下記式（１）〜（３）によって求められる。
Ｌｍ＊＝−（１／１６）Ｌ１＊＋（９／１６）Ｌ２＊＋（９／１６）Ｌ３＊−（１／１６）Ｌ４＊・・・（１）
ａｍ＊＝−（１／１６）ａ１＊＋（９／１６）ａ２＊＋（９／１６）ａ３＊−（１／１６）ａ４＊・・・（２）
ｂｍ＊＝−（１／１６）ｂ１＊＋（９／１６）ｂ２＊＋（９／１６）ｂ３＊−（１／１６）ｂ４＊・・・（３）
一方、後者（×印）に対する補間式は下記式（４）〜（６）によって求められる。
Ｌｍ＊＝（５／１６）Ｌ１＊＋（１５／１６）Ｌ２＊−（５／１６）Ｌ３＊＋（１／１６）Ｌ４＊・・・（４）
ａｍ＊＝（５／１６）ａ１＊＋（１５／１６）ａ２＊−（５／１６）ａ３＊＋（１／１６）ａ４＊・・・（５）
ｂｍ＊＝（５／１６）ｂ１＊＋（１５／１６）ｂ２＊−（５／１６）ｂ３＊＋（１／１６）ｂ４＊・・・（６）
次に、ＣＰＵ１１は、上記補間式を用いて、Ｃ×Ｍ×Ｙ：９×９×９点に含まれる補間処理を行う点それぞれに対し、図７に示す番号Ｉ〜ＩＩＩの順序に沿って補間処理を繰り返し行う。その結果、ＣＰＵ１１は、補間処理が完了した時点で、（４）のＣ×Ｍ×Ｙ：５×５×５点のサンプル点でＣ×Ｍ×Ｙ：９×９×９点に補間することができる。
【００６３】
以上により、ＣＰＵ１１は、第１のＬＵＴ１００を作成することができる。ただし、先に述べた通り、ＣＰＵ１１は、第１のＬＵＴ１００について、ＣＭＹそれぞれの値を、Ｃ、Ｍ、Ｙ：０％、１０％、２０％、３０％、４０％、５５％、７０％、８５％、１００％、Ｋの値を、Ｋ：０％、１０％、２０％、３０％、４０％、５０％、６０％、８０％、１００％にとっている。つまり、９通りのＣＭＹＫそれぞれの値は、最大値１００％を８等分に分割した値ではない。
そのため、ＣＰＵ１１は、図８に示す１次元ＬＵＴ１２０，１３０により、ＣＭＹＫそれぞれの値を、１００％を８等分に分割した値に変換する。そして、ＣＰＵ１１は、変換後のＣＭＹＫそれぞれの値を第１のＬＵＴ１００へ入力する処理を行う。具体的には、ＣＰＵ１１は、１次元ＬＵＴ１２０を用いて、Ｃ、Ｍ、Ｙ：１０％を１２．５％に、２０％を２５％に、３０％を３７．５％に、４０％を５０％に、５５％を６２．５％に、７０％を７５％に、８５％を８７．５％に変換する。また、ＣＰＵ１１は、１次元ＬＵＴ１３０を用いて、Ｋ：１０％を１２．５％に、２０％を２５％に、３０％を３７．５％に、４０％を５０％に、５０％を６２．５％に、６０％を７５％に、８０％を８７．５％に変換する。
【００６４】
第２のＬＵＴ２００は、Ｌ＊ａ＊ｂ＊の値をＣＭＹＫの値の組み合わせに変換する。第２のＬＵＴ２００は、図９に示すように、Ｌ＊×ａ＊×ｂ＊：３３×３３×３３＝３５９３７点のＬ＊ａ＊ｂ＊の値のＬＵＴ入力点に対して、ＣＭＹＫの値が入る３次元入力／４次元出力ＬＵＴである。なお、本実施の形態において、１つの第２のＬＵＴ２００についてのみ説明しているが、例えば、クライアントＰＣ１０等から送信される印刷ジョブのジョブデータに含まれるＰＤＬ（Page Description Language）に記述される、テキスト、グラフィック及びイメージ等の複数種類のオブジェクト情報や、「測色的」「知覚的」「彩度」などの複数種類のカラーマッチング方法等のそれぞれに対応して第２のＬＵＴ２００を複数用意してもよい。
以下に、当該第２のＬＵＴ２００の作成手順を述べる。なお、簡単のため、基本色をＣ、Ｍの２色として説明する。なお、Ｃ、Ｍ、Ｙ、Ｋはいずれも０〜１００％の値をとるものとする。
【００６５】
まず、ＣＰＵ１１は、上述のようにして作成された第１のＬＵＴ１００におけるＣ×Ｍ×Ｙ×Ｋ：９×９×９×９についてのＬ＊ａ＊ｂ＊値である４次元データから、Ｃ×Ｍ×Ｙ：９×９×９についてのＬ＊ａ＊ｂ＊値である３次元データへの変換を行う。このために、例えば、特許第２８９８０３０号の明細書に記されている方法を用いることができる。
【００６６】
例えば、最初に、ＣＭＹの各値を８等分し、Ｃ×Ｍ×Ｙ：９×９×９のＬＵＴ入力点であるＬＵＴ−Ａを作成する。なお、ＬＵＴ−ＡにおけるＬＵＴ入力点の数は任意に設定することができる。次に、ＬＵＴ−ＡのＬＵＴ入力点毎にグレー成分を強調するためのＫ値が加えられたＣＭＹＫ値を入力する。グレー成分を強調するためのＫ値は、ＬＵＴ入力点の示すＣＭＹの最小値に基づき、図１７に示されるＫカーブ０を用いて算出される。すなわち、Ｋカーブ０（Ｋ０）は、次の式（７）によって表すことができる。ここで、ＣＭＹの最小値をｍｉｎ［Ｃ、Ｍ、Ｙ］とすると、
Ｋ０＝２．０（ｍｉｎ［Ｃ、Ｍ、Ｙ］−５０（％））・・・（７）
ただし、Ｋ０＜０であればＫ０＝０（％）である。
なお、Ｋカーブ０は、図１７では全て直線の場合を例示しているが、スタートポイント近傍を曲線にしたものや全体を曲線にしたものであってもよい。
【００６７】
以上のようにして求められたＫ値を、ＣＭＹの各値とともにＬＵＴ入力点に入力する。例えば、ＬＵＴ入力点（Ｃ：６２．５％，Ｍ：７５％，Ｙ：８７．５％）に入力されるＣＭＹＫ値について説明すると、先ず、ＣＭＹの最小値が６２．５％であるため、Ｋ値は（Ｋ：２５％）と算出される。その結果、当該ＬＵＴ入力点に入力されるＣＭＹＫ値は、上記ＣＭＹの各値にＫ値が加えられて、（Ｃ：６２．５％，Ｍ：７５％，Ｙ：８７．５％，Ｋ：２５％）となる。他のＬＵＴ入力点についても同様にしてＣＭＹＫ値を求めて、入力する。
なお、Ｋ値を求めるために使用したＫカーブは、上述したものに限定されない。また、後述するようにして、ＣＭＹＫの色材の総量を減じるようにしてＬＵＴ入力点に入力するＣＭＹＫ値を設定してもよい。ここで、本実施の形態では、使用したＫカーブの情報や、色材の制限量を示す情報を、例えば、第２のＬＵＴ２００とともに記憶する。これらの情報を保持するのは、後述する色調整テーブルを作成するときにおいて、ＣＭＹＫ値を求める際に、Ｋ値のＣＭＹＫ値に対する割合を、上述して求められたものよりも大きくするためである。換言すれば、ＣＭＹＫ値を求める際に、ＣＭＹ値のＣＭＹＫ値に対する割合を、上述して求められたものよりも小さくするためである。すなわち、色調整テーブルの作成時において、使用するＫカーブ及び／又は色材の総量を減じる量を、第２のＬＵＴ２００を作成したときよりもＫ値のＣＭＹＫ値に対する割合が大きくなるものとするためである。本実施の形態では、第２のＬＵＴ２００を作成する場合において使用するＫカーブをＫカーブ０とし、色材の制限量を４００％としている。
【００６８】
次に、同様にして、ＣＭＹの各値を８等分し、Ｃ×Ｍ×Ｙ：９×９×９のＬＵＴ入力点であるＬＵＴ−Ｂを作成する。ＬＵＴ−Ｂの各ＬＵＴ入力点は、ＬＵＴ−Ａの各ＬＵＴ入力点に対応している。そして、ＬＵＴ−Ａの各ＬＵＴ入力点に入力されたＣＭＹＫ値に対応するＬ＊ａ＊ｂ＊値を第１のＬＵＴ１００を使用して補間して求め、それぞれ、ＬＵＴ−Ｂの対応するＬＵＴ入力点に入力する。
【００６９】
上述したようにして、ＣＭＹＫ値及びＬ＊ａ＊ｂ＊値を、Ｃ×Ｍ×Ｙ：９×９×９＝７２９点について求めることにより、Ｃ×Ｍ×Ｙ×Ｋ：９×９×９×９の４次元のデータから、Ｃ×Ｍ×Ｙ：９×９×９の３次元のデータを作成することができる。
【００７０】
次に、ＣＰＵ１１は、上述したようにして作成されたＬＵＴ−Ａ及びＬＵＴ−Ｂを使用して、Ｌ＊×ａ＊×ｂ＊：３３×３３×３３点のＬＵＴ入力点に対する、ＣＭＹＫの値の組み合わせを導出する。
まず、Ｌ＊×ａ＊×ｂ＊：３３×３３×３３点の組み合わせの中で、Ｌ＊ａ＊ｂ＊の測定値が存在する点（つまり、カラープリンター１の色域の内側の点）について、ＣＭＹＫの値の組み合わせを導出する手順を説明する。ここで、色域（カラーガマット）とは、カラープリンター１等の画像データの出力処理を行う機器が表現または再現できる色の範囲である。
当該導出に用いる収束演算処理は、例えば、特開２００３−７８７７３号公報等に詳述されている。ここでは、当該導出の手順について簡潔に述べる。
【００７１】
図１０は、３次元のＣＭＹの値の内、２次元のＣＭの値からなるＣ×Ｍ：９×９点の組み合わせ（Ｙ：０％）について、縦軸に明度Ｌ＊を、横軸にａ＊をプロットした座標系である。図１０において、Ｈ１’とＨ２’は彩度頂点、Ｗ’は白色頂点、Ｂ’はブルーの頂点を表す。なお、実際には、ＣＰＵ１１は、３次元のＣＭＹの値についての導出処理を行うが、簡単のために２次元のＣＭの値の導出処理について示す。
【００７２】
図１０において、目標値Ｔ’は、Ｌ＊×ａ＊×ｂ＊：３３×３３×３３点の中で、ＣＭＹの値の組み合わせを求めようとするターゲット点のＬ＊ａ＊ｂ＊の値である。当該目標値Ｔ’が、図１０の格子点ａ’〜ｄ’で囲まれる領域Ｖ０’に存在する場合を仮定する。この場合、ＣＰＵ１１は、ＣＭ座標系におけるＣＭの値の組み合わせである目標値Ｔを、図１１に示す格子点ａ〜ｄで囲まれる領域Ｖ０内にあると推定する。ここで、図１１において、Ｈ１とＨ２は彩度頂点Ｈ１’とＨ２’に、Ｗは白色頂点Ｗ’に、Ｂはブルーの頂点Ｂ’に、それぞれ対応する点である。
次に、ＣＰＵ１１は、図１１に示す格子点ａ〜ｄで囲まれる領域Ｖ０を、図１２に示す分割点ｅ〜ｉで領域Ｖ１〜Ｖ４に４等分する。ここで、ＣＰＵ１１は、分割点ｅ〜ｉの値を、既に求められている周囲の格子点を利用して重み平均で算出する。そして、ＣＰＵ１１は、分割点ｅ〜ｉに対応するＬ＊ａ＊ｂ＊の値を図１３に示す座標系にプロットする。図１３に示す分割点ｅ’〜ｉ’は、それぞれ、図１２に示す分割点ｅ〜ｉに対応するプロット点である。
さらに、ＣＰＵ１１は、分割点ｅ’〜ｉ’によって形成された４つの領域Ｖ１’〜Ｖ４’のうちどの領域に目標値Ｔ’があるかを求める。例えば、図１３に示すように目標値Ｔ’が領域Ｖ２’にある場合、ＣＰＵ１１は、目標値Ｔが図１２に示す領域Ｖ２’に対応した領域Ｖ２にあると推定する。
【００７３】
次に、ＣＰＵ１１は、推定した領域Ｖ２を領域Ｖ５〜Ｖ８に分割し、分割した領域Ｖ５〜Ｖ８のうちどの領域に目標値Ｔがあるかを推定する。以下同様にして、ＣＰＵ１１は、領域の分割／推定を繰り返し、領域Ｖ０、Ｖ１〜Ｖ４、Ｖ５〜Ｖ８、Ｖ９〜Ｖ１２、・・・、と領域を次第に小さくして収束させる。そして、ＣＰＵ１１は、収束した領域を形成する４つの格子点又は分割点の平均値によって目標値Ｔ（ＣＭの値の組み合わせ）を求めることができる。ただし、実際のＣＰＵ１１は、３次元のＣＭＹの値について、各ターゲット点に対する目標値Ｔ（ＣＭＹの値の組み合わせ）を１点ずつ計算する。すなわち、上述したようにして生成されたＬＵＴ−Ｂから逆算されてＣＭＹの値が算出される。ＬＵＴ−Ｂは、上述したようにして生成されたＬＵＴ−Ａに対応しているため、算出されたＣＭＹの値から、ＣＭＹＫの値の組み合わせを補間して求めることができる。なお、ＣＰＵ１１が上記収束演算処理を行うのは、図１１の座標系から図１０の座標系への変換が既知であるにもかかわらず、その逆の変換は非常に複雑で未だ良好な変換式が知られていないためである。
【００７４】
なお、本実施の形態では、上述したような収束演算による方法を記したが、例えば、特許第２８９５０８６号の明細書に記載されているような補間方法を用いてもよい。
【００７５】
次に、Ｌ＊×ａ＊×ｂ＊：３３×３３×３３点の中で、Ｌ＊ａ＊ｂ＊の値が色域の外側にある場合について、ＣＭＹＫの値の組み合わせを導出する手順を説明する。この場合、ＣＰＵ１１は、カラーガマットマッピング（色域写像）の処理を実行する。つまり、ＣＰＵ１１は、当該Ｌ＊ａ＊ｂ＊の値を色域の内側の値に写像した上で、上述の収束演算処理によりＣＭＹＫの値の組み合わせを導出する。以下に、カラーガマットマッピングについて述べる。
【００７６】
図１４は、Ｌ＊ａ＊ｂ＊表色系空間を、ある色相でＬ＊軸を含むような方向で切断した断面である。ここで、図１４において、Ｂ’は黒色の頂点（黒色頂点）を表す。また、図１４において、彩度頂点Ｈ１’、白色頂点Ｗ’、彩度頂点Ｈ２’、黒色頂点Ｂ’を４頂点とする斜線部分は、カラープリンター１の色域である。
【００７７】
まず、ＣＰＵ１１は、ａ＊、ｂ＊の値を用いて色相角ｈ及び彩度Ｃ＊を算出する。色相角ｈは下記式（８）により算出でき、彩度Ｃ＊は下記式（９）により算出できる。
ｈ＝ａｒｃｔａｎ（ｂ＊／ａ＊）／π×１８０・・・（８）
Ｃ＊＝（（ａ＊＾２）＋（ｂ＊＾２））＾０．５・・・（９）
【００７８】
次に、ＣＰＵ１１は、色相角ｈにおけるカラープリンター１の色域について、彩度頂点Ｈ１’、白色頂点Ｗ’、黒色頂点Ｂ’の明度Ｌ＊と彩度Ｃ＊とを求める。例えば、彩度頂点Ｈ１’の明度Ｌ＊と彩度Ｃ＊は以下のようにして算出する。ＣＰＵ１１は、Ｍ：１００％且つＣ、Ｙ：０％の点と、Ｍ、Ｙ：１００％且つＣ：０％の点と、Ｙ：１００％且つＭ、Ｃ：０％の点と、Ｃ、Ｙ：１００％且つＭ：０％の点と、Ｃ：１００％且つＭ、Ｙ：０％の点と、Ｃ、Ｍ：１００％且つＹ：０％の点とを結ぶ。そして、ＣＰＵ１１は、結んだ各点のＣＭＹの値に対応するＬ＊ａ＊ｂ＊の値を取得する。また、ＣＰＵ１１は、取得した各点のＬ＊ａ＊ｂ＊の値より、色相角ｈ及び彩度Ｃ＊を算出する。さらに、ＣＰＵ１１が算出した各点の色相角ｈ及び彩度Ｃ＊を用いて補間計算を行うことで、彩度頂点Ｈ１’の明度Ｌ＊と彩度Ｃ＊は算出される。
【００７９】
次に、ＣＰＵ１１は、色相角ｈを一定にして、色域の外側にある点（入力点）が、図１４に示す領域Ｐ１〜Ｐ５の何れの領域に属するかを判断する。そして、ＣＰＵ１１は、領域Ｐ１〜Ｐ５毎に定められた写像の手順に基づいて、入力点を色域に写像させて、目標値Ｔ’に対応する色域上の目標点を決定する。
ここで、本実施形態において、高彩度色の目標点ｒ１は、彩度頂点Ｈ１’よりも彩度Ｃ＊が小さな位置に定められる。つまり、ＣＰＵ１１は、図１４に示すように、当該目標点ｒ１を、中間点ｒ２と彩度頂点Ｈ１’とを結ぶ線分上の、彩度頂点Ｈ１’側に配置する。また、ＣＰＵ１１は、白色頂点Ｗ’近傍の色の目標点ｒ３を配置する。ＣＰＵ１１は、当該目標点ｒ３を、白色頂点Ｗ’と中間点ｒ２とを結ぶ線分上に位置するように定める。なお、中間点ｒ２は、白色頂点Ｗ’の明度Ｌ＊と黒色頂点Ｂ’の明度Ｌ＊の中間値をとる点である。
【００８０】
まず、ＣＰＵ１１は、図１４に示す領域Ｐ１〜Ｐ５のそれぞれの領域の境界を定める。
具体的には、ＣＰＵ１１は、領域Ｐ２及び領域Ｐ４の傾きを予め定められた方法に基づいて決定する。ここで、領域Ｐ２は、色域の上側に位置し、ＣＰＵ１１により決定された傾きで色域へ写像する領域である。また、領域Ｐ４は、色域の下側に位置し、ＣＰＵ１１により決定された傾きで色域へ写像する領域である。
そして、ＣＰＵ１１は、領域Ｐ２及び領域Ｐ４の傾きに基づいて、境界線ｑ１〜ｑ４を作成する。ＣＰＵ１１は、作成した境界線ｑ１〜ｑ４により、領域Ｐ１〜Ｐ５のそれぞれの領域の境界を定める。境界線ｑ１は、目標点ｒ３より領域Ｐ２の傾きで色域の上側へ延伸した半直線である。境界線ｑ２は、目標点ｒ１より領域Ｐ２の傾きで色域の上側へ延伸した半直線である。境界線ｑ３は、目標点ｒ１より領域Ｐ４の傾きで色域の下側へ延伸した半直線である。境界線ｑ４は、黒色頂点Ｂ’より領域Ｐ４の傾きで色域の下側へ延伸した半直線である。
ここで、図１４において、彩度頂点Ｈ１’の明度Ｌ＊は、明度Ｌ＊の最大値１００の略中間値を示す。しかし、彩度頂点Ｈ１’の明度Ｌ＊は、切断する色相次第で当該略中間値を示さない場合がある。例えば、イエローの色相で切断した場合、彩度頂点Ｈ１’の明度Ｌ＊は、図１４よりも高い明度Ｌ＊を示す。また、ブルーの色相で切断した場合、彩度頂点Ｈ１’の明度Ｌ＊は、図１４よりも低い明度Ｌ＊を示す。このような場合、ＣＰＵ１１は、上記領域Ｐ２及び領域Ｐ４の傾きを、彩度頂点Ｈ１’から白色頂点Ｗ’や黒色頂点Ｂ’に向けての直線の傾きに応じて変化させることが望ましい。
【００８１】
次に、ＣＰＵ１１は、入力点と目標点ｒ３とを結んだ線分の傾きと、入力点と目標点ｒ１とを結んだ線分の傾きと、入力点と中間点ｒ２とを結んだ線分の傾きと、を算出する。そして、ＣＰＵ１１は、算出した各傾きと、入力点の明度Ｌ＊と彩度頂点Ｈ１’の明度Ｌ＊との大小比較の結果と、に基づいて、入力点が領域Ｐ１〜Ｐ５の何れの領域に属すかを判断する。
次に、ＣＰＵ１１は、入力点を写像させる色域内の目標点を当該入力点の属する領域に応じて決定する。例えば、ＣＰＵ１１は、入力点が領域Ｐ１に属すと判断した場合、目標点を目標点ｒ３に決定する。また、ＣＰＵ１１は、入力点が領域Ｐ３に属すと判断した場合、目標点を目標点ｒ１に決定する。また、ＣＰＵ１１は、入力点が領域Ｐ５に属すと判断した場合、目標点を黒色頂点Ｂ’に決定する。また、ＣＰＵ１１は、入力点が領域Ｐ２に属すと判断した場合、目標点ｒ１と白色頂点Ｗ’とを結ぶ線分又は目標点ｒ３と中間点ｒ２とを結ぶ線分と、入力点を通りＰ２の傾きで延伸させた直線との交点を目標点に決定する。また、ＣＰＵ１１は、入力点が領域Ｐ４に属すと判断した場合、目標点ｒ１と白色頂点Ｗ’とを結ぶ線分又は黒色頂点Ｂ’と中間点ｒ２とを結ぶ線分と、入力点を通りＰ４の傾きで延伸させた直線との交点を目標点に決定する。
その結果、ＣＰＵ１１は、Ｌ＊ａ＊ｂ＊の値が色域の外側にある入力点を、色域内の目標点に写像させることができる。そして、ＣＰＵ１１は、当該目標点の目標値Ｔ’について収束演算処理を行うことで、ＣＭＹＫの値の組み合わせを取得する。
【００８２】
以上により、ＣＰＵ１１は、Ｌ＊ａ＊ｂ＊：３３×３３×３３＝３５９３７点の各ＬＵＴ入力点に対するＣＭＹＫの値の組み合わせを導出し、第２のＬＵＴ２００を生成する。
【００８３】
次に、色調整システムに１０００にて実施されるデバイスリンクプロファイルの作成手順について図１５を参照しながら説明する。
【００８４】
まず、カラープリンター１にて図４に示すカラーチャート１１０を出力し、上述したようにして、測定器３にて出力したカラーチャート１１０の測定を行う（ステップＳ１）。
次に、カラーチャート１１０を測定した結果に基づき、クライアントＰＣ１０のＣＰＵ１１は、第１のＬＵＴ１００を、上述したようにして作成し、記憶部１６に記憶する（ステップＳ２）。
そして、ＣＰＵ１１は、作成した第１のＬＵＴ１００に基づいて、上述したようにして、第２のＬＵＴ２００を作成し、記憶部１６に記憶する（ステップＳ３）。
そして、ＣＰＵ１１は、上述のようにして作成され、記憶部１６に記憶された第２のＬＵＴ２００と、記憶部１６に予め記憶されたカラーモニタ装置のデバイスプロファイルとを読み出す（ステップＳ４）。ここで読み出されるカラーモニタ装置のデバイスプロファイルは、ＲＧＢの値を入力としてこれに対応するＬ＊ａ＊ｂ＊値を取得するためのプロファイルであり、ソースプロファイルということがある。また、ここで読み出される第２のＬＵＴ２００を含むプロファイルをデスティネーションプロファイルということがある。
そして、ＣＰＵ１１は、読み出されたデスティネーションプロファイルとしての第２のＬＵＴ２００と、ソースプロファイルとしてのカラーモニタ装置のデバイスプロファイルとを使用して、デバイスリンクプロファイルを作成する（ステップＳ５）。より具体的には、まず、ソースプロファイルの格子点におけるＲＧＢの値に対応するＬ＊ａ＊ｂ＊値を第２のＬＵＴ２００の入力値とし、補間演算によりＣＭＹＫの出力値を得る。そして、ソースプロファイルの格子点におけるＲＧＢ値をＬＵＴ入力点とし、上述のようにして得られたＣＭＹＫ値を出力値とする「ＲＧＢ−ＣＭＹＫ  ＬＵＴ」を構成することによりデバイスリンクプロファイルが作成される。このデバイスリンクプロファイルは、後述する節約モードによる色材の減少が行われていない、通常時における色変換結果が得られる通常モード用デバイスリンクプロファイルである。
【００８５】
ここで、ＲＧＢ値からＣＭＹＫ値に色変換して出力を行っても十分な精度が得られない場合には、例えば、特開２０１１−１０２３１の明細書において詳述されるように、色差の補正を行うフィードバック処理を行ってデバイスリンクプロファイルを作成するようにしてもよい。具体的には、まず、ＲＧＢ値からＣＭＹＫ値に色変換されたカラーチャートをカラープリンター１にて出力して、出力されたカラーチャートを測定器３によって測定する。次に、色変換された値であるＣＭＹＫ値に対応するＬ＊ａ＊ｂ＊値を、カラープリンター１の第１のＬＵＴ（ＣＭＹＫ−Ｌ＊ａ＊ｂ＊ＬＵＴ）を用いて補間計算により求め、そのＬ＊ａ＊ｂ＊値を出力目標値として保持する。次に、出力目標値と測定値の色差を求める。このようにして求められた色差に相当する分だけ、出力目標値から測定値とは反対方向に移動させて得られた点のＬ＊ａ＊ｂ＊値を補正後のＬ＊ａ＊ｂ＊値とすることにより、色差の補正を行うことができる。
【００８６】
また、例えば、特許第３７８５６８８号公報において詳述されているように、第２のＬＵＴ２００から出力されるＣＭＹＫの値を微調整した後にデバイスリンクプロファイルを作成するようにしてもよい。
【００８７】
本実施の形態では、以上のようにして作成された通常モード用デバイスリンクプロファイルを用いて色変換が行われた結果得られたＣＭＹＫ値に対し、以下のようにして色材の減少を行う色調整処理を実施する。
【００８８】
次に、色調整システム１０００において実施される色調整を行うための処理について、図１６〜図２２を参照しながら説明する。
【００８９】
まず、色調整の処理を実施するにあたり、色調整テーブルを作成する。ここで、図１６を参照して色調整テーブル作成処理について説明する。色調整テーブル作成処理は、クライアントＰＣ１０のＣＰＵ１１によって実施される処理である。本実施の形態では、色調整テーブルとして、節約モード弱用テーブル、節約モード中用テーブル、及び、節約モード強用テーブルの３つの色調整テーブルを作成する。節約モード弱用テーブル、節約モード中用テーブル、及び、節約モード強用テーブルの何れのテーブルも、以下に説明する色調整テーブル作成処理によって作成することができる。なお、作成する色調整テーブルの数は任意であって、２つや４つ以上であってもよく、また、テーブルを１つだけ作成するようにしてもよい。また、ここに示される各節約強度は、出力ＣＭＹＫ値から調整後のＣＭＹＫ値への変換前後の数値の変化を画像全体について数値計算にて求めた節約量に基づくものであり、実際の画像出力に要する色材の量に必ずしも一致するものではなく、また、実際の節約量は出力する画像によっても異なる。
【００９０】
最初に、ＣＰＵ１１は、ＬＵＴ−Ｃを作成する（ステップＳ１０１）。具体的には、ＣＰＵ１１は、上述したＬＵＴ−Ａと同様の要領にてＬＵＴ−Ｃを作成する。ここで、ＣＰＵ１１は、上述のようにして記憶部１６に記憶されたＫカーブの情報及び色材の制限量を示す情報に基づき、使用するＫカーブを選択する。本実施の形態では、第２のＬＵＴ２００を作成したときにおいて使用したＫカーブがＫカーブ０であり、色材の制限量が４００％であるので、節約モード弱用テーブルを作成する場合には、図１７に示すように、Ｋカーブ０よりも１段階増加したＫカーブ１を用いてＫ値が算出される。また、節約モード中用テーブルを作成する場合には、Ｋカーブ０よりも２段階増加したＫカーブ２を用いてＫ値が算出される。また、節約モード強用テーブルを作成する場合には、Ｋカーブ０よりも３段階増加したＫカーブ３を用いてＫ値が算出される。ここで、Ｋカーブ１（Ｋ１）、Ｋカーブ２（Ｋ２）及びＫカーブ３（Ｋ３）は、次の式（１０）〜（１２）によって表すことができる。下記式において、ｍｉｎ［Ｃ、Ｍ、Ｙ］は、ＣＭＹの最小値である。
Ｋ１＝１．６（ｍｉｎ［Ｃ、Ｍ、Ｙ］−３７．５（％））・・・（１０）
ただし、Ｋ１＜０であればＫ１＝０（％）である。
Ｋ２＝１．３３３３（ｍｉｎ［Ｃ、Ｍ、Ｙ］−２５（％））・・・（１１）
ただし、Ｋ２＜０であればＫ２＝０（％）である。
Ｋ３＝１．１４２９（ｍｉｎ［Ｃ、Ｍ、Ｙ］−１２．５（％））・・・（１２）
ただし、Ｋ３＜０であればＫ３＝０（％）である。
このように、第２のＬＵＴ２００を作成したときよりも算出されるＫ値が大きくなるようなＫカーブを用いるようにすることで、後述する第３のＬＵＴ３００を作成したときに、ＣＭＹ値のＣＭＹＫ値に対する割合を第２のＬＵＴ２００を作成したときよりも小さくすることができる。
なお、Ｋカーブ１〜Ｋカーブ３は、図１７では全て直線の場合を例示しているが、スタートポイント近傍を曲線にしたものや全体を曲線にしたものであってもよい。
【００９１】
次に、ＣＰＵ１１は、作成する色調整テーブルが節約モード弱用テーブルであるか否かを判定する（ステップＳ１０２）。ＣＰＵ１１は、作成する色調整テーブルが節約モード弱用テーブルであると判定しないとき、すなわち、作成するテーブルが節約モード中用テーブル及び節約モード強用テーブルであると判定したときは（ステップＳ１０２：Ｎ）、総量制限設定処理を実行する（ステップＳ１０３）。総量制限設定処理の詳しい説明については、後述する。一方、ＣＰＵ１１は、作成する色調整テーブルが節約モード弱用テーブルであると判定したときは（ステップＳ１０２：Ｙ）、ステップＳ１０３の処理を実行せずにステップＳ１０４の処理を実行する。
【００９２】
ＣＰＵ１１は、ステップＳ１０４において、ＬＵＴ−Ｄを作成する（ステップＳ１０４）。具体的には、ＣＰＵ１１は、上述したＬＵＴ−Ｂと同様の要領にてＬＵＴ−Ｄを作成する。ここで、ＬＵＴ−Ｄの各ＬＵＴ入力点は、ＬＵＴ−Ｃの各ＬＵＴ入力点に対応している。ＣＰＵ１１は、ＬＵＴ−Ｃの各ＬＵＴ入力点に入力されたＣＭＹＫ値に対応するＬ＊ａ＊ｂ＊値を第１のＬＵＴ１００を使用して補間演算によって求め、それぞれ、ＬＵＴ−Ｄの対応するＬＵＴ入力点に入力することにより、ＬＵＴ−Ｄを作成する。
【００９３】
次に、ＣＰＵ１１は、以上のようにして作成されたＬＵＴ−Ｃ及びＬＵＴ−Ｄを使用して、第３のＬＵＴ３００を作成する（ステップＳ１０５）。第３のＬＵＴ３００は、第２のＬＵＴ２００と同様であって、図１８に示すように、Ｌ＊×ａ＊×ｂ＊：３３×３３×３３＝３５９３７点のＬ＊ａ＊ｂ＊の値のＬＵＴ入力点に対して、ＣＭＹＫの値が入る３次元入力／４次元出力ＬＵＴである。ＣＰＵ１１は、第２のＬＵＴ２００と同様の要領にて第３のＬＵＴ３００を作成し、記憶部１６に記憶する。
【００９４】
ＣＰＵ１１は、以上のようにして作成され、記憶部１６に記憶された第１のＬＵＴ１００と第３のＬＵＴ３００とを読み出す（ステップＳ１０６）。
【００９５】
そして、ＣＰＵ１１は、読み出した第１のＬＵＴ１００と第３のＬＵＴ３００とを使用して、色調整テーブルを作成し（ステップＳ１０７）、この処理を終了する。具体的には、ＣＰＵ１１は、まず、第１のＬＵＴ１００の格子点におけるＣＭＹＫ値に対応するＬ＊ａ＊ｂ＊値を第３のＬＵＴ３００の入力値とし、補間演算によりＣＭＹＫの出力値を得る。本実施の形態では、この出力値を調整後ＣＭＹＫ値ということがある。そして、ＣＰＵ１１は、第１のＬＵＴ１００の格子点におけるＣＭＹＫ値をＬＵＴ入力点とし、上述のようにして得られた調整後ＣＭＹＫ値を出力値とする「ＣＭＹＫ−ＣＭＹＫ  ＬＵＴ」によって構成される色調整テーブルを作成する。
【００９６】
次に、上述した色調整テーブル作成処理のステップＳ１０３において実行される総量制限設定処理について、図１９を参照しながら説明する。
【００９７】
まず、ＣＰＵ１１は、作成されたＬＵＴ−Ｃにおける各ＬＵＴ入力点のうち、変換対象であるＬＵＴ入力点があるか否かを判定する（ステップＳ２０１）。具体的には、ＣＰＵ１１は、ＣＭＹＫの各値の合計が２２０％〜４００％であって、ＣＭＹ値の変換が未だ行われていないＬＵＴ入力点を変換対象として検索する。なお、ＬＵＴ入力点の変換対象とされるＣＭＹＫの各値の合計については任意に設定可能である。
【００９８】
そして、ＣＰＵ１１は、変換対象であるＬＵＴ入力点があると判定したときは（ステップＳ２０１：Ｙ）、当該ＬＵＴ入力点に記述されているＣＭＹＫ値を読み出す（ステップＳ２０２）。
【００９９】
そして、ＣＰＵ１１は、読み出したＣＭＹＫの各値の合計が所定の最大値以下となるように変換する（ステップＳ２０３）。すなわち、ＣＰＵ１１は、２２０％〜４００％にあるＣＭＹＫの各値の合計を、所定の１次元ＬＵＴを使用して２２０％から最大値となるように変換する。ここで、最大値は、上述のようにして第２のＬＵＴ２００とともに保持されたＫカーブの情報及び色材の制限量を示す情報に基づいて決定される。本実施の形態では、第２のＬＵＴ２００を作成したときにおいて使用したＫカーブがＫカーブ０であり、色材の制限量が４００％であるので、例えば、節約モード中用テーブルを作成する場合には最大値を３３０％とし、節約モード強用テーブルを作成する場合には最大値を２７０％としている。
【０１００】
そして、ＣＰＵ１１は、ステップＳ２０３において変換されたＣＭＹＫの各値の合計から変換前のＫ値を減算して、変換後のＣＭＹの各値の合計（変換後ＣＭＹ合計値）を算出する（ステップＳ２０４）。
【０１０１】
そして、ＣＰＵ１１は、ステップＳ２０４において算出された変換後ＣＭＹ合計値を変換前のＣＭＹの各値の合計（変換前ＣＭＹ合計値）で除することにより、減算係数を算出する（ステップＳ２０５）。
【０１０２】
そして、ＣＰＵ１１は、ステップＳ２０２において読み出しの対象となったＬＵＴ入力点におけるＣＭＹの各値に対してステップＳ２０５において算出された減算係数を乗じ、変換後のＣＭＹの各値（変換後ＣＭＹ値）を算出するとともに、この変換後ＣＭＹ値に変換前のＫ値を加えた変換後ＣＭＹＫ値を求める（ステップＳ２０６）。
【０１０３】
以上の処理を具体的に説明すると、例えば、節約モード強用テーブルを作成する場合において、ＣＭＹＫの各値がＣ＝１００％、Ｍ＝１００％、Ｙ＝７５％、Ｋ＝２５％とすると、ＣＭＹＫの各値の合計は３００％となる。そして、１次元ＬＵＴを使用して変換した後のＣＭＹＫの各値の合計が２５０％である場合、変換後ＣＭＹ合計値は２５０−２５＝２２５％となる。そして、変換前ＣＭＹ合計値は２７５％であるため、減算係数は２２５／２７５＝０．８１８となる。そして、この減算係数を、変換前のＣＭＹの各値に対して乗ずると、Ｃ＝８１．８％、Ｍ＝８１．８％、Ｙ＝６１．４％となる。なお、Ｋ値に対しては減算係数を乗じない。
【０１０４】
以上のようにして変換後のＣＭＹＫの各値が算出されると、ＣＰＵ１１は、変換後ＣＭＹＫ値を、ステップＳ２０２において読み出しの対象となったＬＵＴ入力点に置き換え（ステップＳ２０７）、ステップＳ２０１の処理に移行する。
【０１０５】
ＣＰＵ１１は、ステップＳ２０１〜ステップＳ２０７の処理を、変換対象であるＬＵＴ入力点がなくなるまで繰り返し実行することにより、色材の総量制限が行われたＬＵＴ−Ｃを作成する。
そして、ＣＰＵ１１は、ステップＳ２０１において、変換対象であるＬＵＴ入力点があると判定しないとき（ステップＳ２０１：Ｎ）、この処理を終了する。
【０１０６】
以上のように、ＣＰＵ１１は、上述した総量制限設定処理を実行して色材の総量制限が行われたＬＵＴ−Ｃ及びＬＵＴ−Ｄを用いて第３のＬＵＴ３００を作成するため、ＣＭＹＫの各値の合計が最大値を超えることがない。その結果、例えば、節約モード強用テーブルを作成する場合においては、図２０に示すように、実線で示された色域の下側外縁が破線で示される位置まで持ち上がるように移動され、明度の低い部分が上昇するように色域が狭くなる。なお、本実施の形態では、ＬＵＴ−Ｃの各ＬＵＴ入力点におけるＣＭＹＫの各値の合計が２７０％又は３３０％以下となるように制限したが、制限する値は任意に設定することができる。また、色材の総量制限が行われた第３のＬＵＴ３００は、各ＬＵＴ入力点におけるＣＭＹＫの各値の合計が何れも最大値以下に制限されたＬＵＴ−Ｃに基づいて作成されているので、第３のＬＵＴ３００によりそれぞれ得られるＣＭＹＫ値について、バランスを保ちながら値を減少させたものとすることができる。そして、第３のＬＵＴ３００のＬＵＴ入力点以外のＬ＊ａ＊ｂ＊値が入力された場合でも最大値以下に制限されたＬＵＴ入力点に記述されたＣＭＹＫ値から補間して得られるので、ＬＵＴ入力点の周囲における色についてもＣＭＹＫの各値の合計が制限値を超えることがなく、また、急にその制限値につぶれることがなく、周囲との色の変化を連続的にさせることができる。また、ＬＵＴ−Ｄを作成する際に、ＣＭＹＫの各値の合計を上述した最大値までに制限するため、ＬＵＴ−Ｄは、ＣＭＹの各値が１００％（すなわち、黒）のポイントを中心に色材の総量が制限されてＬ＊ａ＊ｂ＊値が入力されたものとなる。また、色材の制限量を第２のＬＵＴ２００を作成したときよりも大きくすることで、第３のＬＵＴ３００を作成したときに、Ｋ値のＣＭＹＫ値に対する割合を第２のＬＵＴ２００を作成したときよりも大きくすることができる。
【０１０７】
以上のようにして色調整テーブルが作成された後に実施される色変換処理について、図２１を参照しながら説明する。この色変換処理は、コントローラー２の、例えば、ＣＰＵ等によって実行される処理である。また、この色変換処理は、入力されたＣＭＹＫやＲＧＢなどの画像データをカラープリンター１にて出力するためのＣＭＹＫデータに変換する色変換を行うとともに、色材の節約を行うための色調整を行うための処理である。なお、この色変換処理において使用されるプロファイル等の各種テーブルについては、クライアントＰＣ１０より送信されて、コントローラー２の記憶装置に保持されるものとする。
【０１０８】
まず、コントローラー２は、クライアントＰＣ１０等から入力した画像データの色（色データ）がスポットカラーを示すものであるかを判定する（ステップＳ３０１）。コントローラー２は、入力した色データがスポットカラーを示すものであると判定したときは（ステップＳ３０１：Ｙ）、第２のＬＵＴ２００を使用してスポットカラーを示す色データから特定されるＬ＊ａ＊ｂ＊値を補間演算によりＣＭＹＫ値に変換し、これをＣ１Ｍ１Ｙ１Ｋ１とする（ステップＳ３０２）。一方、コントローラー２は、入力した色データがスポットカラーを示すものでないと判定したとき、すなわちＲＧＢデータであると判定したときは（ステップＳ３０１：Ｎ）、通常モード用デバイスリンクプロファイルを使用して、入力したＲＧＢ値を補間演算によりＣＭＹＫ値に変換し、これをＣ１Ｍ１Ｙ１Ｋ１とする（ステップＳ３０３）。
【０１０９】
そして、コントローラー２は、色材の節約を行う節約モードであるか否かを判定する（ステップＳ３０４）。節約モードは、例えば、ユーザによって予め設定される。コントローラー２は、節約モードであると判定したときは（ステップＳ３０４：Ｙ）、Ｃ１Ｍ１Ｙ１Ｋ１の各値が何れも０％であるか否かを判定する（ステップ：Ｓ３０５）。そして、コントローラー２は、Ｃ１Ｍ１Ｙ１Ｋ１の各値が何れも０％であると判定しないときは（ステップ：Ｓ３０５：Ｎ）、ＣＭＹＫの何れかの単色であるか否かを判定する（ステップＳ３０６）。すなわち、コントローラー２は、Ｃ１Ｍ１Ｙ１Ｋ１の各値の何れか１つのみが０％でない値であるか否かによって単色であるか否かを判定する。そして、コントローラー２は、ＣＭＹＫの何れかの単色であると判定しないときは（ステップＳ３０６：Ｎ）、ＲＧＢの２次色であるか否かを判定する（ステップＳ３０７）。すなわち、コントローラー２は、ＣＭＹのうちの２色によって構成されている色であるか否かを判定する。そして、コントローラー２は、ＲＧＢの２次色であると判定しないときは（ステップＳ３０７：Ｎ）、Ｋ１の値が０％であって、Ｃ１Ｍ１Ｙ１の各値のうちの最小値が所定の閾値（ｔｈ０）以下であるか否かを判定する（ステップＳ３０８）。なお、ここで設定される閾値は、カラープリンタの性能や状態に応じて適宜設定することができる。そして、コントローラー２は、Ｋ１の値が０％であって、Ｃ１Ｍ１Ｙ１の各値のうちの最小値が所定の閾値以下であると判定しないときは（ステップＳ３０８：Ｎ）、ステップＳ３０９の処理を実行する。一方、コントローラー２は、ステップＳ３０４において、節約モードであると判定しないとき（ステップＳ３０４：Ｎ）、ステップＳ３０５において、Ｃ１Ｍ１Ｙ１Ｋ１の各値が何れも０％であると判定したとき（ステップＳ３０５：Ｙ）、ステップＳ３０６において、ＣＭＹＫの何れかの単色であると判定したとき（ステップＳ３０６：Ｙ）、ステップＳ３０７において、ＲＧＢの２次色であると判定したとき（ステップＳ３０７：Ｙ）、及び、ステップＳ３０８において、Ｋ１の値が０％であって、Ｃ１Ｍ１Ｙ１の各値のうちの最小値が所定の閾値以下であると判定したときは（ステップＳ３０８：Ｙ）、後述するステップＳ３１２の処理を実行する。
【０１１０】
ステップＳ３０５〜ステップＳ３０８における条件の何れかに該当する色は、ＣＭＹの各値をＫ値に置き換える処理や、ＣＭＹＫの合計値に制限を行う処理の対象にならない、常に変更されない色であって、このような条件に該当する色に対し、他の色と同様にして上述したこれらの処理を行ったときに、計算誤差が生じる場合がある。そのため、本実施の形態では、これらの条件を判定し、該当する色については、計算誤差による影響を軽減するために、以下に実施される色材の節約を行うための処理を実施しないようにしている。
【０１１１】
コントローラー２は、ステップＳ３０９において、設定された節約モードに対応する色調整テーブルを読み出す（ステップＳ３０９）。すなわち、コントローラー２は、設定された節約モードが弱程度の節約を行う節約モードである場合は、節約モード弱用テーブルを読み出し、設定された節約モードが中程度の節約を行う節約モードである場合は、節約モード中用テーブルを読み出し、設定された節約モードが強程度の節約を行う節約モードである場合は、節約モード強用テーブルを読み出す。
【０１１２】
そして、コントローラー２は、読み出した色調整テーブルを使用して、Ｃ１Ｍ１Ｙ１Ｋ１の各値をＣ２Ｍ２Ｙ２Ｋ２の各値に変換する（ステップＳ３１０）。
【０１１３】
そして、コントローラー２は、上述のようにして変換されたＣ２Ｍ２Ｙ２Ｋ２を出力し（ステップＳ３１１）、この処理を終了する。カラープリンター１は、この出力されたＣ２Ｍ２Ｙ２Ｋ２の各値に基づいてカラー画像を出力する。
【０１１４】
一方、コントローラー２は、ステップＳ３１２において、Ｃ１Ｍ１Ｙ１Ｋ１の各値をそのままＣ２Ｍ２Ｙ２Ｋ２として（ステップＳ３１２）、ステップＳ３１１の処理を実行する。すなわち、コントローラー２は、ステップＳ３０２及びステップＳ３０３において得られた値をそのままカラープリンター１によって出力するための値にする。
【０１１５】
次に、節約モード選択処理について図２２を参照しながら説明する。この節約モード選択処理は、コントローラー２によって実行される処理である。また、この節約モード選択処理は、クライアントＰＣ１０からの節約モードの選択指示があったときに実行される。
【０１１６】
まず、コントローラー２は、クライアントＰＣ１０からの節約モードの選択指示があると、指示内容に応じた節約モードが実施されるように節約モードの設定を行う（ステップＳ４０１）。すなわち、コントローラー２は、通常モード、弱程度の節約を行う節約モード弱、中程度の節約を行う節約モード中及び強程度の節約を行う節約モード強の何れかに設定する。
【０１１７】
次に、節約モード用デバイスリンクプロファイル生成処理について図２３を参照しながら説明する。この節約モード用デバイスリンクプロファイル生成処理は、例えば、クライアントＰＣ１０のＣＰＵ１１によって実行される処理である。この節約モード用デバイスリンクプロファイル生成処理では、上述のようにして生成された通常モード用デバイスリンクプロファイルと色調整テーブルとに基づいて、ソースプロファイルの格子点におけるＲＧＢの値をＬＵＴ入力点とし、これに対応するＣＭＹＫ値を出力値とする節約モード用デバイスリンクプロファイルを作成する。この節約モードデバイスリンクプロファイル生成処理は、節約モード弱、節約モード中及び節約モード強のそれぞれについて実行する。この節約モード用デバイスリンクプロファイルは、後述する色材節約量の見積もりを実施するために用いられる。また、この節約モードデバイスリンクプロファイルを、上述した色変換処理において使用するようにしてもよい。なお、節約モード用デバイスリンクプロファイル生成処理の説明において、図２１に示される色変換処理と重複する処理の内容については、処理の概要のみ説明し、詳しい説明を省略する。
【０１１８】
まず、ＣＰＵ１１は、記憶部１６に記憶された通常用デバイスリンクプロファイルを読み出し、この通常デバイスリンクプロファイルから一のＬＵＴ入力点における入力ＲＧＢ値に対応する出力ＣＭＹＫの値を読み出し、これをＣ３Ｍ３Ｙ３Ｋ３とする（ステップＳ５０１）。
【０１１９】
そして、ＣＰＵ１１は、Ｃ３Ｍ３Ｙ３Ｋ３の各値が何れも０％であるか否かを判定する（ステップ：Ｓ５０２）。そして、ＣＰＵ１１は、Ｃ３Ｍ３Ｙ３Ｋ３の各値が何れも０％であると判定しないときは（ステップ：Ｓ５０２：Ｎ）、ＣＭＹＫの何れかの単色であるか否かを判定する（ステップＳ５０３）。そして、ＣＰＵ１１は、ＣＭＹＫの何れかの単色であると判定しないときは（ステップＳ５０３：Ｎ）、ＲＧＢの２次色であるか否かを判定する（ステップＳ５０４）。そして、ＣＰＵ１１は、ＲＧＢの２次色であると判定しないときは（ステップＳ５０４：Ｎ）、Ｋ３の値が０％であって、Ｃ３Ｍ３Ｙ３の各値のうちの最小値が所定の閾値以下であるか否かを判定する（ステップＳ５０５）。
【０１２０】
ＣＰＵ１１は、Ｋ３の値が０％であって、Ｃ３Ｍ３Ｙ３の各値のうちの最小値が所定の閾値以下であると判定しないときは（ステップＳ５０５：Ｎ）、色調整テーブルを読み出す（ステップＳ５０６）。
ＣＰＵ１１は、読み出した色調整テーブルを使用して、Ｃ３Ｍ３Ｙ３Ｋ３の各値をＣ４Ｍ４Ｙ４Ｋ４に変換する（ステップＳ５０７）。
【０１２１】
ＣＰＵ１１は、通常用デバイスリンクプロファイルの全てのＬＵＴ入力点について、変換データの作成が完了したか否かを判定する（ステップＳ５０８）。すなわち、ＣＰＵ１１は、通常用デバイスリンクプロファイルの全てのＬＵＴ入力点に対して、色変換後のＣＭＹＫの各値への変換データが作成された否かを判定する。
【０１２２】
ＣＰＵ１１は、全てのＬＵＴ入力点について、変換データの作成が完了したと判定しないときは（ステップＳ５０８：Ｎ）、ステップＳ５０１に移行して、色変換後のＣＭＹＫ値への変換データが作成されていない他の出力ＣＭＹＫ値について、上述した処理を行う。一方、ＣＰＵ１１は、全てのＬＵＴ入力点について、変換データの作成が完了したと判定したときは（ステップＳ５０８：Ｙ）、通常デバイスリンクプロファイルの各入力ＲＧＢの値とＣ４Ｍ４Ｙ４Ｋ４とをそれぞれ対応付け、ソースプロファイルの格子点におけるＲＧＢの値をＬＵＴ入力点とし、これに対応するＣ４Ｍ４Ｙ４Ｋ４を出力値とする節約モード用デバイスリンクプロファイルを作成し、記憶部１６に記憶した後（ステップＳ５０９）、この処理を終了する。なお、この処理では、節約モード弱用デバイスリンクプロファイル、節約モード中用デバイスリンクプロファイル及び節約モード強用デバイスリンクプロファイルのそれぞれについて作成される。
【０１２３】
また、ＣＰＵ１１は、ステップＳ５０２において、Ｃ３Ｍ３Ｙ３Ｋ３の各値が何れも０％であると判定したとき（ステップＳ５０２：Ｙ）、ステップＳ５０３において、ＣＭＹＫの何れかの単色であると判定したとき（ステップＳ５０３：Ｙ）、ステップＳ５０４において、ＲＧＢの２次色であると判定したとき（ステップＳ５０４：Ｙ）、及び、ステップＳ５０５において、Ｋ３の値が０％であって、Ｃ３Ｍ３Ｙ３の各値のうちの最小値が所定の閾値以下であると判定したときは（ステップＳ５０５：Ｙ）、Ｃ３Ｍ３Ｙ３Ｋ３の各値をそのままＣ４Ｍ４Ｙ４Ｋ４とし（ステップＳ５１０）、ステップＳ５０８の処理を実行する。
【０１２４】
次に、上述したようにして作成された、節約モード弱用デバイスリンクプロファイル、節約モード中用デバイスリンクプロファイル及び節約モード強用デバイスリンクプロファイルを用いた色材節約量見積処理について図２４を参照しながら説明する。この色材節約量見積処理は、例えば、クライアントＰＣ１０のＣＰＵ１１によって、印刷ジョブを行う際に実行される処理である。
【０１２５】
まず、ＣＰＵ１１は、印刷ジョブを実行する際に図２５に示すような節約量事前見積り設定画面を表示部１５に表示した後、操作部１４による操作に応じて以下のような処理を行う。すなわち、ＣＰＵ１１は、印刷ジョブの全てのページについて節約量の見積りを行うか否かを判定する（ステップＳ６０１）。具体的には、節約量事前見積り設定画面におけるチェックボックスＣＢ１に対してチェック入力が行われた後に、節約量見積りボタンＢ１が操作されたか否かにより印刷ジョブの全てのページについて節約量の見積りを行うか否かを判定する。
【０１２６】
ＣＰＵ１１は、印刷ジョブの全てのページについて節約量の見積りを行うと判定したときは（ステップＳ６０１：Ｙ）、印刷ジョブの全ページに対し、１５０ｄｐｉの解像度にてＲＩＰ（Raster Image Processor）展開を行い、ＢＭＰ（Bit Map）画像データを生成する（ステップＳ６０２）。本実施の形態では、６００ｄｐｉや１２００ｄｐｉの解像度にて印刷を行うのに対し、１５０ｄｐｉの低解像度で節約量の見積りを行うことにより、色変換や節約量の見積りを行うための処理時間を短縮することができ、また、使用メモリー容量を低減させることができる。なお、節約量の見積りを行う際の解像度は上述したものに限定されず、適宜設定することができる。また、節約量の見積りを行う際の解像度を、印刷を行うときの解像度と同じとしてもよい。
【０１２７】
一方、ＣＰＵ１１は、印刷ジョブの全てのページについて節約量の見積りを行うと判定しないとき、すなわち、チェックボックスＣＢ１におけるチェックが外され、ページ移行ボタンＢ２及びＢ３を操作してページの指定が行われて節約量見積りボタンＢ１が操作された場合には（ステップＳ６０１：Ｎ）、印刷ジョブを構成するページのうち、指定されたページに対し、１５０ｄｐｉの解像度にてＲＩＰ展開を行い、ＢＭＰ画像データを生成する。
【０１２８】
ＣＰＵ１１は、上述のようにしてＢＭＰ画像データが生成されると、この画像データに対し、上述したようにして作成された通常モード用デバイスリンクプロファイルを用いてＣＭＹＫ値（通常ＣＭＹＫ値）に色変換を行う（ステップＳ６０４）。続いて、ＣＰＵ１１は、同様にして、この画像データに対し、上述したようにして作成された節約モード弱用デバイスリンクプロファイルを用いてＣＭＹＫ値に色変換を行う（ステップＳ６０５）。続いて、ＣＰＵ１１は、同様にして、この画像データに対し、上述したようにして作成された節約モード中用デバイスリンクプロファイルを用いてＣＭＹＫ値に色変換を行う（ステップＳ６０６）。続いて、ＣＰＵ１１は、同様にして、この画像データに対し、上述したようにして作成された節約モード強用デバイスリンクプロファイルを用いてＣＭＹＫ値に色変換を行う（ステップＳ６０７）。なお、節約モード用デバイスリンクプロファイルを用いて色変換されたＣＭＹＫ値を節約ＣＭＹＫ値ということがある。
【０１２９】
ＣＰＵ１１は、上述したようにして各プロファイルが用いられて色変換が行われた画像データについて、それぞれ、全画素のＣＭＹＫ値の総計を算出する（ステップＳ６０８）。すなわち、ＣＰＵ１１は、全画素のＣＭＹＫ値の総計を、通常モード、節約モード弱、節約モード中及び節約モード強毎に算出する。このとき、ＣＭＹＫ値のそれぞれについて所定の係数を乗じるようにしてもよい。例えば、ＣＭＹＫの色材のうちの、シアンの色材が高価である場合に、ＣＭＹＫ値のうちのＣ値に対して１．１倍したり、黒の色材が低廉である場合に、ＣＭＹＫ値のうちのＫ値に対して０．８倍等してもよい。
【０１３０】
次に、ＣＰＵ１１は、各節約モードのＣＭＹＫ値の総計に基づいて、各節約モードの色材節約量を算出する（ステップＳ６０９）。例えば、Ａ３サイズの用紙１ページについて、１５０ｄｐｉの解像度でＲＩＰ展開を行うと、画素数は４３４９９２０（１７５４×２４８０）画素となる。そして、ＣＭＹＫ値についてそれぞれ０〜２５５の値を取り、全画素のＣＭＹＫ値が全て２５５である場合には、ＣＭＹＫ値の総計は４４３６９１８４００（４３４９９２０画素×４色×２５５）となる。ここで、例えば、印刷ジョブを構成するページのうちの特定のページ（例えば、１ページ目）における所定のテスト画像をＡ３サイズの用紙に形成する場合に、通常モードのＣＭＹＫ値の総計が１０９３１２６８９０、節約モード弱のＣＭＹＫ値の総計が１０３８４７０５４６、節約モード中のＣＭＹＫ値の総計が９６８５１０４２５、節約モード強のＣＭＹＫ値の総計が８７５５９４６３９である場合、通常モードに対する各節約モードの色材の低減率は、節約モード弱で０．９５、節約モード中で０．８８６、節約モード強で０．８０１となる。これを色材節約量で表すと、節約モード弱で５．０％、節約モード中で１１．４％、節約モード強で１９．９となる。
【０１３１】
次に、ＣＰＵ１１は、通常モードと節約モードとの色差の平均を節約モード毎に算出する（ステップＳ６１０）。具体的には、ＣＰＵ１１は、通常モード用デバイスリンクプロファイルを用いて色変換された画素と節約モード用デバイスリンクプロファイルを用いて色変換された画素との色差を全画素についてそれぞれ求め、これらの色差の平均を算出する。色差の平均の算出は、節約モード毎に求める。色差は、例えば、上述のようにして作成された第１のＬＵＴ１００を使用し、通常モードと節約モードでそれぞれ色変換されたＣＭＹＫ値をそれぞれＬ＊ａ＊ｂ＊値に変換し、これらのＬ＊ａ＊ｂ＊値の差分を取ることにより求めることができる。
【０１３２】
次に、ＣＰＵ１１は、通常モードと節約モードとの色差の最大を節約モード毎に取得する（ステップＳ６１１）。具体的には、ＣＰＵ１１は、通常モード用デバイスリンクプロファイルを用いて色変換された画素と節約モード用デバイスリンクプロファイルを用いて色変換された画素との色差を画素毎に求め、その中から最大のものを取得する。
【０１３３】
ＣＰＵ１１は、図２５に示すように、節約モード弱を示す「弱」欄、節約モード中を示す「中」欄、及び、節約モード強を示す「強」欄に、それぞれ、上述のようにして取得した色材節約量、色差の平均及び色差の最大を表示する（ステップＳ６１２）。
【０１３４】
続いて、ＣＰＵ１１は、印刷を実行するか否かを判定する（ステップＳ６１３）。具体的には、図２５に示すように、節約モードによる印刷を実行する場合には、チェックボックスＣＢ２に対してチェック入力を行った後、ラジオボタンＲＢ１〜ＲＢ３の何れかを入力して節約モードを選択した後に、ＯＫボタンＢ４を操作することにより、印刷が実行される。また、通常モードによる印刷を実行する場合には、チェックボックスＣＢ２におけるチェックを外した後に、ＯＫボタンＢ４を操作することにより、印刷が実行される。
【０１３５】
ＣＰＵ１１は、印刷を実行すると判定したときは（ステップＳ６１３：Ｙ）、選択したモードでの印刷指示を行った後（ステップＳ６１４）、この処理を終了する。一方、ＣＰＵ１１は、印刷を実行すると判定しないとき、すなわち、図２５に示すように、キャンセルボタンＢ５が操作されて印刷指示がキャンセルされたときは（ステップＳ６１３：Ｎ）、ステップＳ６１４の処理を実行することなく、この処理を終了する。
本実施の形態では、このようにして、印刷を行う以前に色材の節約量を見積ることができる。
【０１３６】
また、本実施の形態では、上述した色材節約量見積処理に換えて、以下に説明する色材節約量通知処理を実行するようにしてもよい。本実施の形態では、例えば、図２６に示すようなプロパティ画面において、チェックボックスＣＢ３に対してチェック入力を行った後、ラジオボタンＲＢ４〜ＲＢ６の何れかを入力することにより、節約モードを選択することができる。なお、チェックボックスＣＢ３におけるチェックを外すと、通常モードが選択される。また、本実施の形態では、算出された色材節約量等を示す情報を、指定された宛先にメール送信することにより通知することができる。具体的には、図２６に示すように、チェックボックスＣＢ４に対してチェック入力を行った後、テキストボックスＴＢにメールアドレスを入力することにより、実施することができる。以上のような入力を行った後、ＯＫボタンＢ６を操作することにより、印刷ジョブが実行される。なお、キャンセルボタンＢ７が操作されると、印刷ジョブは実行されない。
【０１３７】
次に、節約モード弱用デバイスリンクプロファイル、節約モード中用デバイスリンクプロファイル及び節約モード強用デバイスリンクプロファイルを用いた色材節約量通知処理について図２７を参照しながら説明する。この色材節約量通知処理は、例えば、クライアントＰＣ１０のＣＰＵ１１によって、印刷ジョブを行う際に実行される処理である。
【０１３８】
まず、ＣＰＵ１１は、印刷ジョブの全ページに対し、１５０ｄｐｉの解像度にてＲＩＰ展開を行い、ＢＭＰ画像データを生成する（ステップＳ７０１）。
【０１３９】
ＣＰＵ１１は、上述のようにしてＢＭＰ画像データが生成されると、この画像データに対し、上述したようにして作成された通常モード用デバイスリンクプロファイルを用いてＣＭＹＫ値に色変換を行う（ステップＳ７０２）。
【０１４０】
続いて、ＣＰＵ１１は、選択された節約モードに対応する節約モード用デバイスリンクプロファイルを用いてＣＭＹＫ値に色変換を行う（ステップＳ７０３）。具体的には、ＣＰＵ１１は、図２６に示されるプロパティ画面において選択された節約モードに対応する節約モード用デバイスリンクプロファイルを用いて色変換を行う。
【０１４１】
ＣＰＵ１１は、上述したようにして各プロファイルが用いられて色変換が行われた画像データについて、それぞれ、全画素のＣＭＹＫ値の総計を算出する（ステップＳ７０４）。
次に、ＣＰＵ１１は、選択された節約モードのＣＭＹＫ値の総計に基づいて、選択された節約モードの色材節約量を算出する（ステップＳ７０５）。
続いて、ＣＰＵ１１は、通常モードと節約モードとの色差の平均を算出する（ステップＳ７０６）。
続いて、ＣＰＵ１１は、通常モードと節約モードとの色差の最大を取得する（ステップＳ７０７）。
【０１４２】
ＣＰＵ１１は、上述のようにして取得した色材節約量、色差の平均及び色差の最大を示す情報が記載されたデータファイルを送信するメールに添付する（ステップＳ７０８）。
ＣＰＵ１１は、データファイルが添付されたメールを指定されたメールアドレスに送信した後（ステップＳ７０９）、この処理を終了する。
【０１４３】
以上説明したように、本実施の形態によれば、ＣＰＵ１１は、入力画像データから出力デバイスのＣＭＹＫ値に変換するための色変換テーブルを用いて入力画像データから通常ＣＭＹＫ値を取得する。ＣＰＵ１１は、入力画像データの通常ＣＭＹＫ値よりもＣＭＹＫ値に対するＣＭＹ値の割合が減少した節約ＣＭＹＫ値を取得する。ＣＰＵ１１は、取得した通常ＣＭＹＫ値及び節約ＣＭＹＫ値に基づいて、通常ＣＭＹＫ値に対する節約ＣＭＹＫ値の低減量を求め、該低減量を認識可能に報知する制御を行う。その結果、色再現性を維持して色材の節約を行う場合に、色材の節約量を正確に見積もることができるようになる。
【０１４４】
また、本実施の形態によれば、ＣＰＵ１１は、取得した通常ＣＭＹＫ値及び節約ＣＭＹＫ値の何れかのＣＭＹＫ値を選択し、該選択したＣＭＹＫ値に基づいて用紙に画像を形成させる制御を行う。その結果、色材の節約量を把握して通常モード及び節約モードから選択して用紙への画像の形成を実施することができるようになる。
【０１４５】
また、本実施の形態によれば、ＣＰＵ１１は、入力画像データから出力デバイスのＣＭＹＫ値に変換するための色変換テーブルを用いて、入力画像データから通常ＣＭＹＫ値を取得する。ＣＰＵ１１は、入力画像データの通常ＣＭＹＫ値よりもＣＭＹＫ値に対するＣＭＹ値の割合が減少した節約ＣＭＹＫ値を取得する。ＣＰＵ１１は、取得した節約ＣＭＹＫ値に基づいて用紙に画像を形成させるとともに、通常ＣＭＹＫ値に対する節約ＣＭＹＫ値の低減量を求め、該低減量を認識可能に報知する制御を行う。その結果、色再現性を維持して色材の節約を行って用紙への画像の形成を実施したときに、色材の節約量を正確に見積もることができるようになる。
【０１４６】
また、本実施の形態によれば、ＣＰＵ１１は、第１の解像度にて用紙に画像を形成させる制御を行うとともに、第１の解像度よりも低い第２の解像度で通常ＣＭＹＫ値に対する節約ＣＭＹＫ値の低減量を求める。その結果、節約量の見積りを行うための処理時間を短縮することができる。また、節約量の見積りを行うために使用するメモリー容量を低減させることができる。
【０１４７】
また、本実施の形態によれば、ＣＰＵ１１は、通常ＣＭＹＫ値に対する節約ＣＭＹＫ値の低減量を、通常ＣＭＹＫ値に対するＣＭＹＫ値の低減率によって表す。その結果、色材の節約量をより容易に認識させることができるようになる。
【０１４８】
また、本実施の形態によれば、ＣＰＵ１１は、節約ＣＭＹＫ値の各値に対してそれぞれ所定の係数を乗じた後に通常ＣＭＹＫ値に対する節約ＣＭＹＫ値の低減量を求める。その結果、色材のコストや実際に消費される色材の量等を考慮して色材の節約量を見積ることができるようになる。
【０１４９】
また、本実施の形態によれば、ＣＰＵ１１は、複数ページからなるジョブデータを入力するとともに、該ジョブデータの複数ページから低減量を求めるページを選択する。ＣＰＵ１１は、選択されたページについての通常ＣＭＹＫ値に対する節約ＣＭＹＫ値の低減量を求める。その結果、例えば、色材の節約が見込まれるページを選択してこれについて節約量を見積ることができるので、節約量の見積りを行うための処理時間を短縮して効率よく節約量を見積ることができるようになる。
【０１５０】
また、本実施の形態によれば、ＣＰＵ１１は、出力デバイスにおける入力ＣＭＹＫ値からデバイス非依存の色空間上の座標を示す出力色値に変換するための色空間変換テーブルを用いて通常ＣＭＹＫ値及び節約ＣＭＹＫ値から出力色値をそれぞれ求める。ＣＰＵ１１は、通常ＣＭＹＫ値から求められた出力色値と節約ＣＭＹＫ値から求められた出力色値の差分である色差を求める。ＣＰＵ１１は、色差を認識可能に報知する制御を行う。その結果、節約量の見積りとともに色再現精度を認識することができるようになる。
【０１５１】
また、本実施の形態によれば、ＣＰＵ１１は、入力画像データの画素毎に色差を求め、該画素毎の色差の平均を認識可能に報知する制御を行う。その結果、全体的な色再現精度の相違を容易に把握することができるようになる。
【０１５２】
また、本実施の形態によれば、ＣＰＵ１１は、入力画像データの画素毎に色差を求め、該画素毎に求めた色差のうちの最大のものを認識可能に報知する制御を行う。その結果、色再現精度の相違の程度を容易に把握することができるようになる。
【０１５３】
なお、本実施の形態における記述は、本発明に係る色調整システムの一例であり、これに限定されるものではない。色調整システムを構成する各機能部の細部構成及び細部動作に関しても適宜変更可能である。
【０１５４】
また、本実施の形態では、クライアントＰＣ１０において各種プロファイル等のテーブルを作成し、コントローラー２において色材を節約するための処理を実行するようにしたが、テーブルの作成及び色材の節約処理についてクライアントＰＣ及びコントローラーの何れか一方によって行うように構成してもよい。
また、１台の装置にてクライアントＰＣ及びコントローラーの各機能を実現するようにしてもよい。
また、クライアントＰＣ及びコントローラーの各機能をカラープリンターに持たせるように構成してもよい。
【０１５５】
また、本実施の形態では、クライアントＰＣ１０において色材の節約量の算出を行うようにしたが、コントローラー２にて実施するようにしてもよい。
【０１５６】
また、本実施の形態では、入力値及び出力値として、最大値を１００％とし、０〜１００％の値で表したが、最大値を１バイトの最大値である２５５とし、０〜２５５の値で表すようにしてもよい。
【０１５７】
また、本実施の形態では、電子写真方式、インクジェット方式等、様々なカラープリンターに適用することができる。
また、本実施の形態では、ＣＭＹＫ４色のカラープリンターを使用したが、例えば、ライトシアンやライトマゼンタ等、他の色材を含むカラープリンターに適用してもよい。
【０１５８】
また、本実施の形態では、クライアントＰＣ１０において作成されたプロファイル等の各種テーブルをクライアントＰＣ１０の記憶部１６に記憶し、色変換に必要なテーブルをコントローラー２に保持させるように構成しているが、作成された各種テーブルの一部又は全てをコントローラー２において記憶させるようにしてもよい。
【０１５９】
また、本実施の形態では、色材の節約を行わないＣＭＹＫの色データについては色材を節約するための処理を実施せず、通常の色変換処理によって得られたＣＭＹＫ値に基づいてカラープリンター１による出力を行ったが、色材の節約を行わないＣＭＹＫの色データに対しても、色材を節約するための処理を実施するようにしてもよい。例えば、色材の節約を行わないＣＭＹＫ値については、出力するＣＭＹＫ値が変化しないような色調整テーブルを構成するようにしてもよい。
【０１６０】
また、本実施の形態では、ＲＧＢ色の画像データを入力してＣＭＹＫ値を得る色調整システム１０００を採用したが、ＣＭＹＫ色の画像データを入力してＣＭＹＫ値を得る色調整システムとしてもよい。また、ＲＧＢ色の画像データとＣＭＹＫ色の画像データの両方を入力可能に構成してもよい。
【０１６１】
また、本実施の形態では、Ｋ版生成カーブ及びＣＭＹＫの各成分の総量が制限された色調整テーブルによって、ＣＭＹ各成分を減少させ、Ｋ成分を増加させるようにして色材の節約を行うようにしたが、Ｋ版生成カーブ及びＣＭＹＫの各成分の総量が制限された色調整テーブルの何れか一方のみによって色材の節約を行うようにしてもよい。
【０１６２】
また、本実施の形態では、通常の色変換処理においてデバイスリンクプロファイルを作成し、これを用いて色変換及び色材節約量の算出を行ったが、デバイスリンクプロファイルを作成せず、ソースプロファイルとデスティネーションプロファイルとを用いて色変換及び色材節約量の算出を行うようにしてもよい。
【０１６３】
また、本実施の形態では、第１のＬＵＴと第３のＬＵＴに基づいて色調整テーブルを作成し、これを用いて色調整を行ったが、色調整テーブルを作成せず、第１のＬＵＴと第３のＬＵＴとを用いて色調整を行うようにしてもよい。
【０１６４】
また、本実施の形態では、通常モードのＣＭＹＫ値の総計に対する節約モードのＣＭＹＫ値の総計の割合である色材の低減率を求め、これに基づいて色材節約量を表示するようにしたが、色材節約量に換えて色材の低減率を表示するようにしてもよい。また、通常モードのＣＭＹＫ値の総計と節約モードのＣＭＹＫ値の総計とを比較可能に表示するようにしてもよい。
【０１６５】
また、本実施の形態では、通常モードと節約モードとの色差の平均及び色差の最大を求め、これらを表示するようにしたが、これらを表示しないものであってもよい。
【０１６６】
また、本実施の形態では、印刷ジョブの全ページあるいは一部のページを対象として色材の節約量を求めるものとしたが、これに限らず、例えば、ＪＰＥＧ（Joint Photographic Experts Group）形式やＴＩＦＦ（Tagged Image File Format）形式等の画像ファイルを対象として色材の節約量を求めるようにしてもよい。
【０１６７】
また、本実施の形態では、ＣＭＹＫ値の総計についての色材の低減率や節約量を求めるようにしたが、ＣＭＹＫの何れか１色又は２色以上の総計についての色材の低減率や節約量を求めるようにしてもよい。例えば、通常モードのＣＭＹＫ値のうちのＣＭＹ値の総計に対する節約モードのＣＭＹ値の総計から色材節約量を求めるようにしてもよい。
また、ＣＭＹＫのうちの２色以上の総計を色毎に求めて色毎の色材の低減率や節約量を求めるようにしてもよい。
【０１６８】
また、本実施の形態では、本発明に係るプログラムのコンピュータ読み取り可能な媒体としてハードディスクや半導体の不揮発性メモリー等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【符号の説明】
【０１６９】
１０００  色調整システム
１  カラープリンター
２  コントローラー
１０  クライアントＰＣ
１１  ＣＰＵ
【図１】
0005857860.tif 000002
【図２】
0005857860.tif 000003
【図３】
0005857860.tif 000004
【図４】
0005857860.tif 000005
【図５】
0005857860.tif 000006
【図６】
0005857860.tif 000007
【図７】
0005857860.tif 000008
【図８】
0005857860.tif 000009
【図９】
0005857860.tif 000010
【図１０】
0005857860.tif 000011
【図１１】
0005857860.tif 000012
【図１２】
0005857860.tif 000013
【図１３】
0005857860.tif 000014
【図１４】
0005857860.tif 000015
【図１５】
0005857860.tif 000016
【図１６】
0005857860.tif 000017
【図１７】
0005857860.tif 000018
【図１８】
0005857860.tif 000019
【図１９】
0005857860.tif 000020
【図２０】
0005857860.tif 000021
【図２１】
0005857860.tif 000022
【図２２】
0005857860.tif 000023
【図２３】
0005857860.tif 000024
【図２４】
0005857860.tif 000025
【図２５】
0005857860.tif 000026
【図２６】
0005857860.tif 000027
【図２７】
0005857860.tif 000028